(57)【要約】  グアユール植物に由来するバイオマスから糖を製造する方法であって、所定量（Ｇ２）（ｇ）の上記バイオマスを、所定量（Ｇ１）（ｇ）の水と、少なくとも１つの有機酸と、任意に少なくとも１つの無機酸とに接触させて、混合物を得ることを含み、上記少なくとも１つの有機酸及び任意に存在する上記少なくとも１つの無機酸が、上記混合物に含まれる、上記少なくとも１つの有機酸及び任意に存在する上記少なくとも１つの無機酸の総モル数（ｍＴＯＴ）が下記式（１）：ｍＴＯＴ＝ｍ１＋ｍ２（１）（式中、ｍ１及びｍ２は、それぞれ下記式（２）及び式（３）：ｍ１＝Ｒ１・Ｇ１（２）、ｍ２＝Ｒ２・Ｇ２（３）に従って定義される）に従って計算される量で使用され、ここで、Ｒ１（ｍｍｏｌ／ｇ）は、上記少なくとも１つの有機酸の第１の量（ｍｍｏｌ）及び任意に存在する上記少なくとも１つの無機酸の第１の量（ｍｍｏｌ）と、水の使用量Ｇ１（ｇ）との比であり、Ｒ１は０．０６ｍｍｏｌ／ｇ〜０．２５ｍｍｏｌ／ｇ、好ましくは０．０９ｍｍｏｌ／ｇ〜０．１８ｍｍｏｌ／ｇであり、上記少なくとも１つの有機酸の上記第１の量（ｍｍｏｌ）、及び任意に存在する上記少なくとも１つの無機酸の上記第１の量（ｍｍｏｌ）が、水の量Ｇ１（ｇ）に依存し、Ｒ２（ｍｍｏｌ／ｇ）は、上記少なくとも１つの無機酸がない場合、上記少なくとも１つの有機酸の第２の量（ｍｍｏｌ）と、バイオマスの使用量Ｇ２（ｇ）との比であるか、又は上記少なくとも１つの無機酸が存在する場合、上記少なくとも１つの有機酸の上記第２の量（ｍｍｏｌ）及び上記少なくとも１つの無機酸の第２の量（ｍｍｏｌ）の合計と、バイオマスの使用量Ｇ２（ｇ）との比であるか、又は上記第２の量（ｍｍｏｌ）の上記少なくとも１つの無機酸の存在下であって、かつ上記第２の量（ｍｍｏｌ）の上記少なくとも１つの有機酸の非存在下では、上記少なくとも１つの無機酸の上記第２の量（ｍｍｏｌ）と上記バイオマスの使用量Ｇ２（ｇ）との比であって、上記少なくとも１つの有機酸の上記第２の量（ｍｍｏｌ）及び上記少なくとも１つの無機酸の上記第２の量（ｍｍｏｌ）は、バイオマスの量Ｇ２（ｇ）に依存し、Ｒ２は、０．９０Ｒ（ｍｍｏｌ／ｇ）〜１．１０Ｒ（ｍｍｏｌ／ｇ）、好ましくは０．９５Ｒ（ｍｍｏｌ／ｇ）〜１．０５Ｒ（ｍｍｏｌ／ｇ）であり、Ｒは、以下のアルゴリズム（４）によって決定され、上記アルゴリズム（４）は下記基本操作：（ｉ）容量Ｖ（ｌ）の上記少なくとも１つの有機酸、及び任意に存在する上記少なくとも１つの第１の量（ｍｍｏｌ）の上記少なくとも１つの無機酸の水溶液を調製することであって、上記水溶液が７未満、好ましくは０．７〜３のｐＨ（１）を有すること、（ｉｉ）（ｉ）で得られた水溶液に、１２０℃で１５時間乾燥した所定量Ｑ（ｇ）のバイオマスを加えることであって、上記バイオマスの量が、得られた混合物の総重量に対して、好ましくは６０重量％以下、より好ましくは２重量％〜４０重量％であること、（ｉｉｉ）（ｉｉ）で得られた混合物のｐＨを測定することであって、上記ｐＨを以下ｐＨ（２）と称すること、及び（ｉｖ）以下のアルゴリズム（４）：Ｒ＝（１０−ｐＨ（１）−１０−ｐＨ（２））・１０００・Ｖ／Ｑ）（４）（式中、ｐＨ（１）、ｐＨ（２）、Ｖ、及びＱは上記と同じ意味を持つ）に従ってＲを決定することによって得られ、上記の基本操作を室温で行い、但し、下記式（５）：Ｒ最小＝ｍ有機酸／Ｇ２（５）（式中、ｍ有機酸は、存在する有機酸のｍｍｏｌであり、Ｇ２は上記と同じ意味を持つ）に従って定義されるＲ最小比（ｍｍｏｌ／ｇ）が、０．２０ｍｍｏｌ／ｇ以上、好ましくは０．２５ｍｍｏｌ／ｇ以上であるような量で上記少なくとも１つの有機酸が存在することを条件とし、上記少なくとも１つの無機酸が存在する場合、上記有機酸のｍｍｏｌ（ｍ有機酸）は、２つの酸の量の合計、すなわち、無機酸の量（ｍｍｏｌ）と有機酸の量（ｍｍｏｌ）との和よりも少ない量で存在し、上記合計は、上記の式（１）で定義される総モル数ｍＴＯＴ（ｍｍｏｌ）に対応する、方法。このように得られた糖は、アルコール（例えば、エタノール、ブタノール）、脂質、ジオール（例えば、１，３−プロパンジオール、１，３−ブタンジオール、１，４−ブタンジオール、２，３−ブタンジオール）の製造のための発酵プロセス、又はその他の中間体若しくは化学物質の製造のための化学合成プロセスにおいて炭素供給源として有利に使用され得る。上記アルコール及び脂質は、それ自体で又は他の自動車燃料とのブレンドで使用することができるバイオ燃料（例えば、バイオディーゼル又は「グリーンディーゼル」）の製造に有利に使用され得て、また一方で、上記ジオールは、例えばゴム（例えば、ポリブタジエン又はその共重合体）の製造に使用され得るバイオブタジエン等の生成物の製造に使用することができる。バイオ精製所の場合、上記用途は特に重要である。【選択図】なし【特許請求の範囲】
【請求項１】
グアユール植物に由来するバイオマスから糖を製造する方法であって、所定量（Ｇ２）（ｇ）の前記バイオマスを、所定量（Ｇ１）（ｇ）の水と、少なくとも１つの有機酸と、任意に少なくとも１つの無機酸とに接触させて、混合物を得ることを含み、前記少なくとも１つの有機酸及び任意に存在する前記少なくとも１つの無機酸が、前記混合物に含まれる、前記少なくとも１つの有機酸及び任意に存在する前記少なくとも１つの無機酸の総モル数（ｍＴＯＴ）が下記式（１）：
ｍＴＯＴ＝ｍ１＋ｍ２（１）
（式中、ｍ１及びｍ２は、それぞれ下記式（２）及び式（３）：
ｍ１＝Ｒ１・Ｇ１（２）
ｍ２＝Ｒ２・Ｇ２（３）
に従って定義される）に従って計算される量で使用され、
ここで、
Ｒ１（ｍｍｏｌ／ｇ）は、前記少なくとも１つの有機酸の第１の量（ｍｍｏｌ）及び任意に存在する前記少なくとも１つの無機酸の第１の量（ｍｍｏｌ）と、水の使用量Ｇ１（ｇ）との比であり、Ｒ１は０．０６ｍｍｏｌ／ｇ〜０．２５ｍｍｏｌ／ｇ、好ましくは０．０９ｍｍｏｌ／ｇ〜０．１８ｍｍｏｌ／ｇであり、前記少なくとも１つの有機酸の前記第１の量（ｍｍｏｌ）、及び任意に存在する前記少なくとも１つの無機酸の前記第１の量（ｍｍｏｌ）が、前記水の量Ｇ１（ｇ）に依存し、
Ｒ２（ｍｍｏｌ／ｇ）は、
前記少なくとも１つの無機酸がない場合、前記少なくとも１つの有機酸の第２の量（ｍｍｏｌ）と、前記バイオマスの使用量Ｇ２（ｇ）との比であるか、又は、
前記少なくとも１つの無機酸が存在する場合、前記少なくとも１つの有機酸の前記第２の量（ｍｍｏｌ）及び前記少なくとも１つの無機酸の第２の量（ｍｍｏｌ）の合計と、前記バイオマスの使用量Ｇ２（ｇ）との比であるか、又は、
前記第２の量（ｍｍｏｌ）の前記少なくとも１つの無機酸の存在下であって、かつ前記第２の量（ｍｍｏｌ）の前記少なくとも１つの有機酸の非存在下では、前記少なくとも１つの無機酸の前記第２の量（ｍｍｏｌ）と前記バイオマスの使用量Ｇ２（ｇ）との比であって、前記少なくとも１つの有機酸の前記第２の量（ｍｍｏｌ）及び前記少なくとも１つの無機酸の前記第２の量（ｍｍｏｌ）は、前記バイオマスの量Ｇ２（ｇ）に依存し、
Ｒ２は、０．９０Ｒ（ｍｍｏｌ／ｇ）〜１．１０Ｒ（ｍｍｏｌ／ｇ）、好ましくは０．９５Ｒ（ｍｍｏｌ／ｇ）〜１．０５Ｒ（ｍｍｏｌ／ｇ）であり、Ｒは、以下のアルゴリズム（４）によって決定され、前記アルゴリズム（４）は下記基本操作：
（ｉ）容量Ｖ（ｌ）の前記少なくとも１つの有機酸、及び任意に存在する前記少なくとも１つの第１の量（ｍｍｏｌ）の前記少なくとも１つの無機酸の水溶液を調製することであって、前記水溶液が７未満、好ましくは０．７〜３のｐＨ（１）を有すること、
（ｉｉ）（ｉ）で得られた前記水溶液に、１２０℃で１５時間乾燥した所定量Ｑ（ｇ）のバイオマスを加えることであって、前記バイオマスの量が、得られた混合物の総重量に対して、好ましくは６０重量％以下、より好ましくは２重量％〜４０重量％であること、
（ｉｉｉ）（ｉｉ）で得られた前記混合物のｐＨを測定することであって、前記ｐＨを以下ｐＨ（２）と称すること、及び、
（ｉｖ）以下のアルゴリズム（４）：
Ｒ＝（１０−ｐＨ（１）−１０−ｐＨ（２））・１０００・Ｖ／Ｑ）（４）
（式中、ｐＨ（１）、ｐＨ（２）、Ｖ、及びＱは上記と同じ意味を持つ）に従ってＲを決定すること、
によって得られ、上記の基本操作を室温で行い、
但し、下記式（５）：
Ｒ最小＝ｍ有機酸／Ｇ２（５）
（式中、ｍ有機酸は、存在する有機酸のｍｍｏｌであり、（Ｇ２）は上記と同じ意味を持つ）に従って定義されるＲ最小比（ｍｍｏｌ／ｇ）が、０．２０ｍｍｏｌ／ｇ以上、好ましくは０．２５ｍｍｏｌ／ｇ以上であるような量で前記少なくとも１つの有機酸が存在することを条件とし、前記少なくとも１つの無機酸が存在する場合、前記有機酸のｍｍｏｌ（ｍ有機酸）は、２つの酸の量の合計、すなわち、前記無機酸の量（ｍｍｏｌ）と前記有機酸の量（ｍｍｏｌ）との和よりも少ない量で存在し、前記合計は、上記の式（１）で定義される総モル数ｍＴＯＴ（ｍｍｏｌ）に対応する、方法。
【請求項２】
前記グアユール植物に由来するバイオマスが、前記グアユール植物が供される抽出プロセスに由来するバガスである、請求項１に記載のグアユール植物に由来するバイオマスから糖を製造する方法。
【請求項３】
前記バイオマスを、水と、前記少なくとも１つの有機酸と、任意に少なくとも１つの無機酸とに接触させる前に、予備粉砕プロセスに供し、好ましくは、前記バイオマスを粉砕して、０．１ｍｍ〜１０ｍｍ、より好ましくは０．５ｍｍ〜４ｍｍ、更により好ましくは２ｍｍ未満の直径を有する粒子を得る、請求項１又は２に記載のグアユール植物に由来するバイオマスから糖を製造する方法。
【請求項４】
前記少なくとも１つの有機酸が、一般式（Ｉ）：
Ｒ−ＳＯ３Ｈ（Ｉ）
（式中、Ｒは直鎖又は分岐鎖のＣ１〜Ｃ６、好ましくはＣ１〜Ｃ３のアルキル基を表す）を有するアルキルスルホン酸から選択され、好ましくはメタンスルホン酸（ＣＨ３−ＳＯ３Ｈ）である、請求項１〜３のいずれか一項に記載のグアユール植物に由来するバイオマスから糖を製造する方法。
【請求項５】
前記少なくとも１つの無機酸が、塩酸（ＨＣｌ）、硝酸（ＨＮＯ３）、硫酸（Ｈ２ＳＯ４）、又はそれらの混合物等の強無機酸から選択され、好ましくは硫酸（Ｈ２ＳＯ４）である、請求項１〜４のいずれか一項に記載のグアユール植物に由来するバイオマスから糖を製造する方法。
【請求項６】
前記方法が、
（ａ）所定量（Ｇ２）（ｇ）の前記バイオマスを、所定量（Ｇ１）（ｇ）の水と、少なくとも１つの有機酸と、任意に少なくとも１つの無機酸とに、リアクター内で接触させて、第１の反応混合物を得ることと、
（ｂ）前記リアクターを、２０分間〜２時間、好ましくは４０分間〜１時間に亘って、所望の温度、好ましくは１００℃〜１８０℃、より好ましくは１３０℃〜１５０℃に加熱して、第１の固相及び第１の水相を含む第２の反応混合物を得ることと、
（ｃ）任意に、第１の固相及び第１の水相を含む前記第２の反応混合物を３０秒間〜１時間、好ましくは５分間〜２０分間に亘って、前記所望の温度に保持することと、
（ｄ）前記リアクターから前記第２の反応混合物を回収することと、
を含む、請求項１〜５のいずれか一項に記載のグアユール植物に由来するバイオマスから糖を製造する方法。
【請求項７】
前記バイオマスが、前記第１の反応混合物の総重量に対して、１重量％〜６０重量％、好ましくは５重量％〜４５重量％、更により好ましくは１０重量％〜３０重量％の量で前記第１の反応混合物中に存在する、及び／又は、
前記リアクターが、連続バイオマス供給（ＣＳＴＲ−連続攪拌タンクリアクター）を備えるスラリーリアクターから選択される、及び／又は、
前記第１の固相がリグニン及びセルロースを含み、前記第１の水相が５個の炭素原子（Ｃ５）を有する少なくとも１つの糖、及び任意に６個の炭素原子（Ｃ６）を有する少なくとも１つの糖と、前記少なくとも１つの有機酸、及び任意に前記少なくとも１つの無機酸とを含む、
請求項６に記載のグアユール植物に由来するバイオマスから糖を製造する方法。
【請求項８】
前記グアユール植物がパルテニウム・アルジェンタツム種のものである、請求項１〜７のいずれか一項に記載のグアユール植物に由来するバイオマスから糖を製造する方法。
【発明の詳細な説明】
【技術分野】
【０００１】
本発明は、グアユール植物に由来するバイオマスから糖を製造する方法に関する。
【０００２】
より具体的には、本発明は、グアユール植物に由来するバイオマスから糖を製造する方法であって、或る特定の量の上記バイオマスを、或る特定の量の水と、少なくとも１つの有機酸と、任意に少なくとも１つの無機酸とに接触させて、混合物を得ることを含み、上記混合物に含まれる上記少なくとも１つの有機酸及び任意に存在する上記少なくとも１つの無機酸の総モル数が、下記に報告される特定の式及び特定のアルゴリズムに従って計算される量で、上記少なくとも１つの有機酸及び任意に存在する上記少なくとも１つの無機酸を使用する、方法に関する。
【０００３】
このように得られた糖は、アルコール（例えば、エタノール、ブタノール）、脂質、ジオール（例えば、１，３−プロパンジオール、１，３−ブタンジオール、１，４−ブタンジオール、２，３−ブタンジオール）の製造のための発酵プロセス、又はその他の中間体若しくは化学物質の製造のための化学合成プロセスにおいて炭素供給源として有利に使用され得る。上記アルコール及び脂質は、それ自体で又は他の自動車燃料とのブレンドで使用することができるバイオ燃料（例えば、バイオディーゼル又は「グリーンディーゼル」）の製造に有利に使用され得て、また一方で、上記ジオールは、例えばゴム（例えば、ポリブタジエン又はその共重合体）の製造に使用され得るバイオブタジエン等の生成物の製造に使用することができる。バイオ精製所の場合、上記用途は特に重要である。
【背景技術】
【０００４】
バイオマスから、特にリグノセルロース系バイオマスからの糖の製造が、当該技術分野で知られている。
【０００５】
天然ゴムは、通常、ラテックスと呼ばれる水性エマルジョンの形態で何百もの植物種に存在する炭化水素ポリマー（ｃｉｓ−１，４−ポリイソプレン）である。天然ゴムの主な供給源は、アマゾン原産の樹木、ヘベア・ブラジリエンシス（Hevea brasiliensis）であり、１９世紀の間は、南米が、必要とされる限られた量のラテックスの主な供給源となっていた。現在、アメリカのプランテーションは、害虫及び病気のためにほぼ完全に放棄されてしまい、天然ゴムの生産はほぼ完全に東南アジアに集中している。
【０００６】
常に病気及び寄生虫による攻撃に曝されている生産の欠点を克服するため、合成ゴムの製造方法が幾つか２０世紀中に開発され、イソプレンを非常に高い領域選択性及び立体選択性で重合させ、植物起源のポリイソプレンとほとんど区別ができないｃｉｓ−１，４合成ポリイソプレンを得ることができるツィーグラー・ナッタ触媒の発見で全盛を極めた。しかしながら、天然ゴムは、実際には、主に天然ゴムの機械的特性の一部が、天然ゴムに存在する少量の脂質及びタンパク質の結果であることから、完全には置き換えられていない。したがって、２０１３年の時点でゴムの総生産量（２７．５Ｍｔ）には、なおも１２Ｍｔ（４３％）の天然ゴムが含まれている。
【０００７】
しかしながら、ヘベア・ブラジリエンシスからのゴムの製造は、幾つかの技術的及び倫理的な問題をもたらす。実際、アメリカのプランテーションを破壊したのと同じ病気及び寄生虫が、東南アジアのプランテーションにも影響を及ぼす可能性が常にある。さらに、ラテックスの収穫には多大な労働力が必要であり、その労働力に極めて低い賃金が支払われることで利益が出るにすぎない。これらの理由から、天然ゴムの代替供給源が求められている。これらの中で、グアユール（パルテニウム・アルジェンタツム：Parthenium argentatum）は間違いなく最も有望なものの１つである。
【０００８】
グアユール（パルテニウム・アルジェンタツム）は、米国南西部（特にテキサス）及びメキシコ北部の半砂漠地帯原産の多年生低木である。この植物は、特に枝及び茎の皮にラテックス（乳白色の懸濁液又は水中の分散物）の形態で、主にｃｉｓ−１，４−ポリイソプレンエラストマーからなる天然ゴムを蓄積する。天然ゴムの含有量は、様々な環境、栽培、及び保存の要因に依存し得て、乾燥植物の総重量の５％〜２０％である。
【０００９】
グアユール植物（パルテニウム・アルジェンタツム）と並んで、例えば、キク科（Asteraceae）、トウダイグサ科（Euphorbiaceae）、キキョウ科（Campanulaceae）、シソ科（Labiatae）及びクワ科（Moraceae）に属するその他の非へベア植物、例えば、ユーフォルビア・ラシリス（Euphorbia lathyris）、パルテニウム・インカヌム（Parthenium incanum）、クリソタムヌス・ナウセオサス（Chrysothamnus nauseosus）、ペディランタス・マクロカルプス（Pedilanthus macrocarpus）、クリプトステギア・グランディフローラ（Cryptostegia grandiflora）、アスクレピアス・シリアカ（Asclepias syriaca）、アスクレピアス・スペシオサ（Asclepias speciosa）、アスクレピアス・サブラタ（Asclepias subulata）、ソリダゴ・アルティッシマ（Solidago altissima）、ソリダゴ・グラムニフォリア（Solidago gramnifolia）、ソリダゴ・リギダ（Solidago rigida）、ソンクス・アルベンシス（Sonchus arvensis）、シルフィウム属の複数種（Silphium spp.）、カカリア・アトリプリシフォリア（Cacalia atriplicifolia）、タラクサクム・コク−サギツ（Taraxacum kok-saghyz）、ピクナンテマム・インカヌム（Pycnanthemum incanum）、テウクリウム・カナデンス（Teucreum canadense）、カンパニュラ・アメリカーナ（Campanula americana）等（「グアユール類（guayule type）」という用語によって簡潔に示される）からの天然ゴムの抽出は、特にヘベアを攻撃する病原体に対する上記種の高い抵抗性、植物起源の原料の輸入コストの低下の観点から、また、へベア由来のものと比べて、上記植物から抽出されたゴムにおけるＩ型（又はＩｇＥに媒介される）ラテックスアレルギーの原因となる多くのタンパク質汚染物質の含有量が低くなることから、ヘベア・ブラジリエンシスからの天然ゴムの抽出の重要な代替である。
【００１０】
しかしながら、グアユールからの天然ゴムの生産は、植物を構成する他の全ての画分、主に樹脂（ゴムと同等の量で存在する）及びリグノセルロース画分だけでなく、少量の精油及びワックスも利用されている場合にのみ有益である。特に、科学文献及び特許文献に広く記載されているように、ゴム及び樹脂の抽出後、リグニン及び多糖を含むリグノセルロース系残留物（バガス）は、多糖の加水分解からなる糖化のプロセスを経なければならず（そのようにして多糖が、得られる加水分解産物中に溶解した５個の炭素原子（Ｃ５）及び６個の炭素原子（Ｃ６）を有する糖に変換される）、リグニンを含む固体残留物を残す。このようにして得られた糖は、発酵によって有機中間体を製造するプロセスにおいて供給原料として使用することができ、リグニンは燃料として又は他の方法で利用することができる。
【００１１】
ヘベア・ブラジリエンシスから得られる天然ゴムは、樹皮の乳管に切れ込みを入れて樹皮に沿って乳管に存在するラテックスを収集することで得られるが、グアユールの天然ゴムは、植物（茎、葉及び根）の細胞の内部に蓄積し、植物性素材を砕いて、物理的及び／又は化学的な方法を用いて細胞成分を収集することによって得ることができることに留意することが重要である。
【００１２】
例えば、特許文献１は、グアユール植物を採取して、大部分の葉状部分を除去し、植物性素材を部分的に乾燥させることを含む、非ヘベア植物から天然ゴムを抽出する方法を記載している。破砕及び粉砕の後、植物性素材を、極性有機溶媒（例えば、アセトン）及び非極性有機溶媒（例えば、ヘキサン）の存在下で懸濁する。バガスを懸濁液から分離した後、ゴム及び樹脂を含む懸濁液、すなわちミセラ（miscella）が得られる。さらに極性有機溶媒を上記ミセラに添加すると、ゴムが粒子へと凝固し、これを沈降により分離する。
【００１３】
したがって、グアユール植物の加工は、主に木質画分に分散した、ほとんどがテルペン化合物のみからなる樹脂を生じる。グアユール樹脂は、例えば接着剤の製造及び耐虫性木材パネルの生産を含む様々な目的に長く使用されてきた。このため、既知の技術分野で説明されている幾つかのプロセスでは、上記樹脂の単離も重要とされている。
【００１４】
例えば、特許文献２は、ゴム、樹脂、水溶性化合物、及びバガスを抽出する方法を記載している。特に、上記方法は、（ａ）植物性素材を５重量％〜２５重量％の水分含量まで部分的に乾燥させる段階と、（ｂ）本質的に無水の酸素化有機溶媒（例えば、無水アセトン）で樹脂を抽出する段階と、（ｃ）ゴム材料の浮選によってゴム、水溶性化合物、及びバガスを回収する段階とを含む。上記特許では、抽出溶媒中に存在する水の量が少ないほど、樹脂抽出がより効率的であることが指摘されており、さらに、予想外なことに、植物性素材から樹脂を抽出するためには、新しい溶媒を使用するよりも、濃縮樹脂を含むミセラを使用する方が有利であるとわかった。
【００１５】
特許文献３は、後にバガスから分離される樹脂を可溶化することができる媒質の存在下で植物性素材を部分的に均質化する第１の段階と、後にバガスから分離されるゴムを可溶化することができる溶媒の存在下でバガスを部分的に均質化する第２の段階と、例えば、薄膜蒸発装置（thin-film evaporator）（「ワイプドフィルム蒸発装置（wiped-film evaporator）」）での溶媒の蒸発、及びゴムの押出しを含む場合がある、ゴム及びバガスを乾燥させる最終段階とを含む、ゴム、樹脂、及びバガスを分離する方法を記載している。また、上記特許出願は、ゴム及び樹脂を可溶化することができる「粉砕溶媒」の存在下で植物性素材を均質化し、分画溶媒を用いて後の精製段階でゴム及び樹脂を分離する方法も記載している。
【００１６】
グアユール植物からラテックス及び樹脂を抽出した後に得られるリグノセルロース系残渣（バガス）は、セルロース、ヘミセルロース及びリグニンの３つの主要成分を含む複雑な構造である。
【００１７】
当該技術分野で知られているように、糖を製造するために使用することができるリグノセルロース系バイオマスにおける上記３成分の相対量は、使用されるリグノセルロース系バイオマスの種類によって異なる。例えば、上記量は、種及び植物の年齢によって異なる。
【００１８】
セルロースは、リグノセルロース系バイオマスの最大成分であり、リグノセルロース系バイオマスの総重量に対して、一般的に３０重量％〜６０重量％の量で存在する。セルロースは、グルコース分子（約５００単位〜１００００単位）をβ−１，４−グルコシド結合でつないで構成されている。鎖間の水素結合の形成は、植物繊維に強度及び弾性を付与する結晶ドメインの形成をもたらす。自然界では、セルロースは、綿及び亜麻等の一年生植物でのみ純粋な状態で見られるが、木質植物では常にヘミセルロース及びリグニンを伴う。
【００１９】
リグノセルロース系バイオマスの総重量に対して、一般的には１０重量％〜４０重量％の量で存在するヘミセルロースは、比較的短く（１０分子〜２００分子）、分岐した混合ポリマーであり、６個の炭素原子を有する糖（グルコース、マンノース、ガラクトース）及び５個の炭素原子を有する糖（キシロース、アラビノース）の両方から形成される。植物繊維の幾つかの重要な特性の主なものの１つは、水が存在すると上記植物繊維の吸水を促進して膨張することであり、これはヘミセルロースの存在に起因する。ヘミセルロースはまた、接着特性を有するため、硬化しやすく又は粘り気が高く（horny consistency）なる傾向があり、その結果、上記植物繊維は硬くなって、よりゆっくりと吸水する。
【００２０】
リグニンは、一般的には、リグノセルロース系バイオマスの総重量に対して１０重量％〜３０重量％の量で存在する。リグニンの主な機能は、植物にコンパクト性（compactness）及び強度を与えるために様々な植物繊維を結合し、接着させることであり、また昆虫、病原体、病変、及び紫外線に対する保護も提供する。リグニンは主に燃料として使用されるが、プラスチックラミネート、カートン、及びゴム製品の分散剤、硬化剤、乳化剤としても現在、業界で広く使用されている。また、リグニンを化学的処理してバニリン、シリングアルデヒド、ｐ−ヒドロキシベンズアルデヒド等の芳香族化合物を製造することもでき、これらの化合物を医薬品化学、又は化粧品産業及び食品産業で用いることができる。
【００２１】
リグノセルロース系バイオマスのエネルギー利用のための生成物への変換を最適化するため、リグニンを分離し、セルロース及びヘミセルロースを例えばグルコース及びキシロース等の単純な糖に加水分解するために上記バイオマスを前処理に供することが知られており、これらの糖はその後、発酵プロセスを経ることができる。
【００２２】
通常、上記目的に使用されるプロセスは、酸加水分解であり、希釈された又は濃縮された強酸の存在下で実施され得る。
【００２３】
例えば、特許文献４は、リグノセルロース系材料に、希酸単独の存在下で得られるものよりも高い発酵糖の収率を提供するような量の希酸触媒（例えば、硫酸、塩酸、硝酸、二酸化硫黄、又はおよそ３未満のｐＨ値を提供することができる任意の他の強酸）、及び金属塩に基づく触媒（例えば、硫酸第一鉄、硫酸第二鉄、塩化第二鉄、硫酸アルミニウム、塩化アルミニウム、硫酸マグネシウム）を含む混合物を含浸させることと、含浸したリグノセルロース系材料をリアクターに供給し、十分な時間（例えば、１分間〜３０分間）加熱して（例えば、１２０℃〜２４０℃の温度まで）、実質的に全てのヘミセルロース及び４５％超のセルロースを水溶性糖に加水分解することと、水溶性糖を回収することとを含む、リグノセルロース系バイオマスを加水分解して大量の発酵糖を得る方法を記載している。
【００２４】
特許文献５は、バイオマスを前処理に送る前に処理（例えば、望ましくない材料の除去、粉砕）に供する段階と、約１３０℃〜約１７０℃の温度で約８分間〜約１２分間、約０．８重量％〜約１．１重量％の濃度の希酸（例えば、硫酸）を適用することにより、バイオマスを前処理に供する段階とを含み、前処理したバイオマスを、キシロースを含む液体成分及びグルコースを利用可能なようにし得る固形成分に分離し、発酵のためのキシロースを回収することで発酵生成物を得ることができ、バイオマスはリグノセルロース系材料を含み、該リグノセルロース系材料にはトウモロコシ穂軸、トウモロコシ植物の外皮、トウモロコシ植物の葉及びトウモロコシ植物の茎が含まれる、発酵生成物を得るためにバイオ精製所で使用されるバイオマスの前処理の方法を記載している。
【００２５】
特許文献６は、リグノセルロース系材料を低シビアリティ（low severity）の操作条件下で行われる第１の前処理に曝露して、第１の生成物を得ることと、上記第１の生成物を希酸水溶液（例えば、硫酸、亜硫酸、二酸化硫黄、リン酸、炭酸）に接触させて第２の生成物を得ることとを含む、リグノセルロース系材料を前処理する方法を記載している。上記２段階方法は、バイオエタノールの製造に有用な生成物を提供することができる。
【００２６】
特許文献７は、第１の成分を発酵システムに供給する段階と、エタノールを産生することができる生物（「エタノローゲン（ethanologen）」）を発酵システムに提供する段階と、第１の成分及びエタノールを産生することができる生物（エタノローゲン）を、発酵システムにおいて１８時間以上に亘り温度約２６℃〜約３７℃、ｐＨ約４．５〜約６．０で維持する段階と、発酵システムから発酵生成物を回収する段階とを含み、エタノールを産生することができる生物（「エタノローゲン」）は、第１の成分１リットル当たりエタノールを産生することができる生物（「エタノローゲン」）１５０グラム未満の量（乾燥重量）で発酵システムに供給され、バイオマスには、リグノセルロース系材料が含まれており、該リグノセルロース系材料は、トウモロコシ穂軸、トウモロコシ植物の外皮、トウモロコシ植物の葉及びトウモロコシ植物の茎のうち少なくとも１つを含み、第１の成分はペントースを含み、ペントースはキシロースを含み、エタノールを産生することができる生物（「エタノローゲン」）は、キシロースをエタノールに発酵させることができる、前処理されて第１の成分及び第２の成分に分離された、バイオマス発酵システムにおける発酵生成物の製造方法を記載している。バイオマスは、例えば、硫酸、塩酸、硝酸、リン酸、酢酸、又はそれらの混合物等の酸とバイオマスとを接触させることによって前処理されることが好ましい。
【００２７】
特許文献８は、リグノセルロース系材料から加水分解物を作製する方法であって、ａ）上記リグノセルロース系材料を、水の存在下で、硫酸、アルカリ、ペルオキシジスルフェート、過酸化カリウム、及びそれらの混合物からなる群より選択される化合物で前処理して水相を得ることと、ｂ）水相を除去し、得られた生成物を洗浄した後、水の存在下で加水分解に有用な酵素で上記生成物を処理して加水分解物を得ることとを含み、上記加水分解物を発酵のための炭素供給源として使用することができる、方法を記載している。
【００２８】
非特許文献１においてTsoutsos, T. et al.は、リグノセルロース系バイオマスからバイオエタノールを製造するための発酵糖溶液の製造の最適化を記載している。これについては、リグノセルロース系バイオマスを、希酸の存在下で２段階の加水分解プロセスに供する。特に、３％〜４％の濃度まで希釈した１００℃〜２４０℃の温度の酸（例えば、塩酸、硫酸、リン酸、硝酸）の存在下で試験を実施した。１１０℃〜１４０℃の温度ではヘミセルロースの加水分解が起こるが、結晶性セルロースは１７０℃まで実質的に変化せず、２４０℃で加水分解される。
【００２９】
非特許文献２においてGonzales-Hernandez, J. C. et al.は、タマリンド種子由来の多糖の加水分解を記載している。特に、タマリンド種子を種々の操作条件下、すなわち、温度８６℃〜１３０．２℃、濃度０．３２％〜３．６８％（体積／体積）の硝酸又は硫酸、接触時間１３．２分間〜４０分間の条件下で加水分解した。温度及び時間が糖の加水分解に最も影響する要因であることがわかり、特に、両方の酸にとって最適な操作条件は、温度１３０．２℃、濃度２％（体積／体積）、接触時間３０分間であり、糖の収量は約１１０ｇ／ｌであった。
【００３０】
非特許文献３においてShatalov, A. A. et al.は、アザミ（シナラ・カルズンクルスＬ．：Cynara cardunculus L.）からの一段階の低温で希硫酸の存在下での加水分解によるキシロースの製造を記載している。特に、最適条件、すなわち温度１３８．５℃、時間５１．７分、酸濃度１．２８％で操作すると、キシロース回収率８６％を達成し、セルロースの分解がほとんどなく、フルフラールの生成も少なかった（アザミ１００ｇ当たりそれぞれ、グルコース＝２．３ｇ、及びフルフラール（Ｆ）＝１．０４ｇ）。
【００３１】
しかしながら、上記の方法には幾つかの欠点がある。
【００３２】
例えば、高温、例えば１４０℃超で酸加水分解を行う場合、例えばフルフラール（Ｆ）、ヒドロキシメチルフルフラール（ＨＭＦ）、及びフェノール化合物等の反応副生成物が糖脱水及びリグニンの部分脱重合から形成される可能性があり、これらは、その後の糖発酵プロセスで通常使用される微生物の増殖の阻害物質として作用して、上記プロセスの効率及び生産性が著しく低下する。
【００３３】
逆に、例えば１４０℃未満の低温で酸加水分解を行うと、リグノセルロース系バイオマスの破壊が不十分となる可能性があり、破壊は、後続の酵素加水分解の段階で有利に使用され得るように、セルロース繊維がそれらを覆っているリグニンネットワークから解放されるのに必要である。実際、リグニンに覆われたセルロース繊維は、酵素加水分解で通常使用される酵素（例えば、セルラーゼ）が到達しにくい。
【００３４】
したがって、上記の課題を克服するための努力が当該技術分野で行われている。
【００３５】
例えば、特許文献９は、１６０℃以上、好ましくは１６０℃〜２３０℃の温度で、少なくとも１つの有機酸、好ましくはｐ−トルエン−スルホン酸、２−ナフタレン−スルホン酸、１，５−ナフタレン−ジスルホン酸の水溶液とバイオマスを接触させることを含む、少なくとも１つの多糖を含むバイオマスから１つ以上の糖を製造する方法を記載している。上記特許出願はまた、４個〜１６個の炭素原子、好ましくは８個〜１２個の炭素原子を有するアルキルスルホン酸、更に好ましくはオクチルスルホン酸及びドデシルスルホン酸についても言及している。しかしながら、報告される加水分解の唯一の実施例は、２−ナフタレン−スルホン酸の使用に関するものである。
【００３６】
特許文献１０は、８０℃〜１４０℃、好ましくは１００℃〜１２５℃の温度で、７個〜２０個の炭素原子、好ましくは９個〜１５個の炭素原子を有する少なくとも１つの有機酸、より好ましくはｐ−トルエンスルホン酸、２−ナフタレン−スルホン酸、１，５−ナフタレン−ジスルホン酸の水溶液とバイオマスを接触させることを含む、少なくとも１つの多糖を含むバイオマスから糖を製造する方法を記載している。
【００３７】
本出願人名義の特許文献１１は、少なくとも１つの多糖を含むバイオマスから糖を製造する方法であって、１個〜６個の炭素原子、好ましくは１個〜３個の炭素原子を有する少なくとも１つの有機酸の水溶液と上記バイオマスを接触させることを含み、上記水溶液のｐＨが０．６〜１．６、好ましくは０．９〜１．３である、方法を記載している。好ましくは、上記少なくとも１つの有機酸は、一般式（Ｉ）：
Ｒ−ＳＯ３Ｈ  （Ｉ）
（式中、Ｒは直鎖又は分岐鎖のＣ１〜Ｃ６アルキル基を表す）を有するアルキルスルホン酸の中から選択され得る。
【００３８】
本出願人名義の特許文献１２は、グアユール植物のあらゆる部分の加工及び利用のための統合プロセスに関連しており、
機械的処理により、上記植物の葉から茎及び枝を分離する工程、
葉を処理してワックス及び精油、並びにセルロース、ヘミセルロース及びより少ない塩、有機化合物及びリグニンを含む画分を製造する工程、
茎及び枝から液相を抽出することで、バガスと称される第１の固形木質残留物を形成する工程、
上記第１の固形木質残留物を処理して、糖、セルロース、ヘミセルロース、及びリグニンを形成する工程、
を順に含む。
【００３９】
上記の統合プロセスは、ラテックス、ゴム、樹脂、及びバガスの製造と発酵糖の製造とを組み合わせることで、グアユール植物を更に活用することができると言われている。発酵糖は、得られたバガスを２段階の糖化処理に供することによって製造され、第１段階では、例えば、アルキルホスホン酸又はアルキルスルホン酸等の有機酸の存在下で酸加水分解を行って、５個の炭素原子（Ｃ５）を有する単糖へとヘミセルロースを変換するのに対し、第２段階では、酵素的、化学的又は熱化学的な加水分解を行って、６個の炭素原子（Ｃ６）を有する単糖を得る。
【００４０】
しかしながら、本出願人は、グアユール植物に由来するバイオマスそれ自体を使用する場合、又は、例えば本出願人名義の特許文献１２若しくは特許文献１３、若しくは特許文献２に記載される当該技術分野で知られている、グアユール植物が供された可能性がある抽出プロセスから生じたバガス、例えば、
参照として本明細書に含まれる特許文献２の実施例２に記載されるプロセスに従って操作して得られるバガス（上記特許ではＧＲ−２として識別されるサンプルであって、下記実施例では「バガス（１）」と称する）、又は、
参照として本明細書に含まれる、本出願人名義の特許文献１３の実施例１〜実施例３に記載されるプロセスに従って操作することで得られるバガス（ラテックス、樹脂及びゴムの抽出後に得られるサンプルであって、下記実施例では「バガス（２）」と称する）、
を使用する場合、一般式（Ｉ）を有する上記の有機酸の使用が、特に糖収率及び副生成物の生成の観点から、必ずしも望ましい結果を得ることを可能にしないことに気づいた。
【００４１】
さらに、グアユール植物に由来するバイオマスからの発酵糖の製造は特に注目され続けていることから、特に糖収率及び副生成物の生成の観点で所望の結果をもたらすことができる上記製造をもたらすための新たなプロセスの開発にも強い関心がよせられている。
【先行技術文献】
【特許文献】
【００４２】
【特許文献１】国際公開第２０１３／１３４４３０号
【特許文献２】米国特許第４，４３５，３３７号
【特許文献３】米国特許出願公開第２０１４／０２８８２５５号
【特許文献４】米国特許第６，４２３，１４５号
【特許文献５】国際公開第２０１０／１０２０６０号
【特許文献６】国際公開第２０１０／０７１８０５号
【特許文献７】米国特許出願公開第２０１０／０２２７３６９号
【特許文献８】米国特許出願公開第２００８／０２７４５０９号
【特許文献９】国際公開第２０１０／０６９５８３号
【特許文献１０】国際公開第２０１０／０１５４０４号
【特許文献１１】国際公開第２０１５／０８７２５４号
【特許文献１２】米国特許出願公開第２０１７／２１８０９４号
【特許文献１３】国際公開第２０１７／１０３７６９号
【非特許文献】
【００４３】
【非特許文献１】"Energies" (2011), Vol. 4, pg. 1601-1623
【非特許文献２】"Journal of the Mexican Chemical Society" (2011), Vol. 56 (4), pg. 395-401
【非特許文献３】"Chemical Engineering & Process Technology" (2011), Vol. 2, Issue 5, pg. 1-8
【発明の概要】
【発明が解決しようとする課題】
【００４４】
したがって、本出願人は、前述の欠点を克服することができる、グアユール植物に由来するバイオマスから、特に、上記グアユール植物が供される抽出プロセスに由来するバガスから糖を製造する方法を特定する課題を課した。特に、本出願人は、高いヘミセルロース成分の変換を与えることができ、その結果、５個の炭素原子（Ｃ５）及び６個の炭素原子（Ｃ６）を有する糖、特にキシロース、アラビノース等の５個の炭素原子を有する糖の高い収率（すなわち、５個の炭素原子（Ｃ５）及び６個の炭素原子（Ｃ６）の糖の収率が９５％以上であり、上記収率は、開始バイオマス中に存在するヘミセルロースの総量に対して計算される）、並びに少量の副生成物（例えば、フルフラール（Ｆ）、ヒドロキシメチルフルフラール（ＨＭＦ））（すなわち、副生成物の量が５％以下であり、上記量は後述するように計算される）を与えることができる、グアユール植物に由来するバイオマスから糖を製造する方法を特定するという課題を課した。
【課題を解決するための手段】
【００４５】
本出願人は、現在、グアユール植物に由来するバイオマス、特に上記グアユール植物が供される抽出プロセスから生じるバガスからの糖の製造が、或る特定の量の上記バイオマスを、或る特定の量の水と、少なくとも１つの有機酸と、任意に少なくとも１つの無機酸とに接触させて混合物を得ることを含み、上記少なくとも１つの有機酸及び任意に存在する上記少なくとも１つの無機酸が、上記混合物に含まれる、上記少なくとも１つの有機酸及び任意に存在する上記少なくとも１つの無機酸の総モル数が以下に報告される特定の式及び特定のアルゴリズムに従って計算される量で使用される方法によって有利に行われ得ることを見出した。
【００４６】
上記方法を通じて得られる多くの利点がある。例えば、上記方法は、ヘミセルロース成分の高い変換の結果、グアユール植物に由来する上記バイオマスの酸加水分解に由来する、５個の炭素原子（Ｃ５）及び６個の炭素原子（Ｃ６）を有する糖、特に、キシロース、アラビノース等の５個の炭素原子（Ｃ５）を有する糖の高い収率（すなわち、５個の炭素原子（Ｃ５）及び６個の炭素原子（Ｃ６）の糖の収率が９５％以上であり、上記収率は、グアユール植物に由来する開始バイオマス中に存在するヘミセルロースの総量に対して計算される）を提供するものであり、これらの糖はその後、アルコール（例えば、エタノール、ブタノール）、脂質、ジオール（例えば、１，３−プロパンジオール、１，３−ブタンジオール、１，４−ブタンジオール、２，３−ブタンジオール）の製造のための発酵プロセス、又はその他の中間体若しくは化学物質の製造のための化学合成プロセスにおいて炭素供給源として使用することができる。上記アルコール及び脂質は、それ自体で又は他の自動車燃料とのブレンドで使用することができるバイオ燃料（例えば、バイオディーゼル又は「グリーンディーゼル」）の製造に有利に使用され得て、また一方で、上記ジオールは、例えばゴム（例えば、ポリブタジエン又はその共重合体）の製造に使用され得るバイオブタジエン等の生成物の製造に使用することができる。バイオ精製所の場合、上記用途は特に重要である。
【００４７】
さらに、ヘミセルロース成分の広範な変換を得ることが可能であり、その結果、５個の炭素原子（Ｃ５）及び６個の炭素原子（Ｃ６）を有する糖、特にキシロース、アラビノース等の５個の炭素原子（Ｃ５）を有する糖の収率が高いことは、５個の炭素原子（Ｃ５）を有する糖が特に豊富な糖の溶液、又は５個の炭素原子（Ｃ５）を有する糖が特に豊富な上記糖の溶液と、６個の炭素原子（Ｃ６）を有する糖が特に豊富な溶液との混合物（例えば、セルロースの酵素加水分解に由来する糖の溶液）を、その後の発酵に送り、その結果、上記発酵プロセスを最適化することを可能にする。実際に、発酵に使用される微生物は、供給原料に提供される糖に応じて、例えば中間生成物及び不要な代謝生成物の蓄積（build-up）の点で異なる特徴を有する発酵バイオマスを生じることが知られている。また、発酵プロセスで使用される微生物は、それらの食物の影響を受けやすいことが知られており、例えば、幾つかの微生物株は、過剰量の５個の炭素原子（Ｃ５）を有する糖に耐容性を示さない。したがって、２つの異なるタイプの糖溶液、すなわち、５個の炭素原子（Ｃ５）を有する糖が特に豊富な糖溶液及び６個の炭素原子（Ｃ６）を有する糖が特に豊富な糖溶液の両方を、これらの糖溶液が異なる発酵プロセスの対象となるようにすることが非常に有利であり、その結果、異なる微生物株の栄養要求（food needs）とより良く一致するおかげで、上記発酵プロセスを最適化する。
【００４８】
また、ヘミセルロースの加水分解から得られる５個の炭素原子（Ｃ５）及び６個の炭素原子（Ｃ６）を有する糖の量は、出発グアユールバガスの性質に依存することにも留意すべきであり、実際には、上で言及したように、セルロース、ヘミセルロース及びリグニンの成分量はバイオマスの種類によって異なることが知られている。
【００４９】
さらに、上記方法により、幅広い温度範囲（すなわち、１００℃〜１８０℃の温度範囲）、更には高温（すなわち、１４０℃以上の温度）でも機能し、上で言及したように、その後の糖発酵プロセスで通常使用される微生物の増殖の阻害剤として作用する副生成物（例えば、フルフラール（Ｆ）、ヒドロキシメチルフルフラール（ＨＭＦ））を少量にすることが可能になる。
【００５０】
さらに、バイオマスを水と、少なくとも１つの有機酸と、任意に少なくとも１つの無機酸とに接触させるリアクターにおいて、予期せぬ温度上昇が、既知の技術のプロセスで一般的である、副生成物（例えば、フルフラール（Ｆ）、ヒドロキシメチルフルフラール（ＨＭＦ））の生成を増加させないことから、上記幅広い温度範囲に亘って機能する可能性は、工業的な観点からかなりの利点である。
【００５１】
さらに、上記少なくとも１つの有機酸の幾つかを少なくとも１つの無機酸に置き換える可能性は、コスト削減を可能にし、したがって、経済的利点を得ることを可能にする。
【００５２】
このため、本発明の対象は、グアユール植物に由来するバイオマスから糖を製造する方法であって、所定量（Ｇ２）（ｇ）の上記バイオマスを、所定量（Ｇ１）（ｇ）の水と、少なくとも１つの有機酸と、任意に少なくとも１つの無機酸とに接触させて、混合物を得ることを含み、上記少なくとも１つの有機酸及び任意に存在する上記少なくとも１つの無機酸が、上記混合物に含まれる、上記少なくとも１つの有機酸及び任意に存在する上記少なくとも１つの無機酸の総モル数（ｍＴＯＴ）が下記式（１）：
ｍＴＯＴ＝ｍ１＋ｍ２（１）
（式中、ｍ１及びｍ２は、それぞれ下記式（２）及び式（３）：
ｍ１＝Ｒ１・Ｇ１（２）
ｍ２＝Ｒ２・Ｇ２（３）
に従って定義される）に従って計算される量で使用され、
ここで、
Ｒ１（ｍｍｏｌ／ｇ）は、上記少なくとも１つの有機酸の第１の量（ｍｍｏｌ）及び任意に存在する上記少なくとも１つの無機酸の第１の量（ｍｍｏｌ）と、水の使用量Ｇ１（ｇ）との比であり、Ｒ１は０．０６ｍｍｏｌ／ｇ〜０．２５ｍｍｏｌ／ｇ、好ましくは０．０９ｍｍｏｌ／ｇ〜０．１８ｍｍｏｌ／ｇであり、上記少なくとも１つの有機酸の上記第１の量（ｍｍｏｌ）、及び任意に存在する上記少なくとも１つの無機酸の上記第１の量（ｍｍｏｌ）が、水の量Ｇ１（ｇ）に依存し、
Ｒ２（ｍｍｏｌ／ｇ）は、
上記少なくとも１つの無機酸がない場合、上記少なくとも１つの有機酸の第２の量（ｍｍｏｌ）と、バイオマスの使用量Ｇ２（ｇ）との比であるか、又は、
上記少なくとも１つの無機酸が存在する場合、上記少なくとも１つの有機酸の上記第２の量（ｍｍｏｌ）及び上記少なくとも１つの無機酸の第２の量（ｍｍｏｌ）の合計と、バイオマスの使用量Ｇ２（ｇ）との比であるか、又は、
上記第２の量（ｍｍｏｌ）の上記少なくとも１つの無機酸の存在下であって、かつ上記第２の量（ｍｍｏｌ）の上記少なくとも１つの有機酸の非存在下では、上記少なくとも１つの無機酸の上記第２の量（ｍｍｏｌ）とバイオマスの使用量Ｇ２（ｇ）との比であって、上記少なくとも１つの有機酸の上記第２の量（ｍｍｏｌ）及び上記少なくとも１つの無機酸の上記第２の量（ｍｍｏｌ）は、バイオマスの量Ｇ２（ｇ）に依存し、
Ｒ２は、０．９０Ｒ（ｍｍｏｌ／ｇ）〜１．１０Ｒ（ｍｍｏｌ／ｇ）、好ましくは０．９５Ｒ（ｍｍｏｌ／ｇ）〜１．０５Ｒ（ｍｍｏｌ／ｇ）であり、Ｒは、以下のアルゴリズム（４）によって決定され、上記アルゴリズム（４）は下記基本操作：
（ｉ）容量Ｖ（ｌ）の上記少なくとも１つの有機酸、及び任意に存在する上記少なくとも１つの第１の量（ｍｍｏｌ）の上記少なくとも１つの無機酸の水溶液を調製することであって、上記水溶液が７未満、好ましくは０．７〜３のｐＨ（１）を有すること、
（ｉｉ）（ｉ）で得られた水溶液に、１２０℃で１５時間乾燥した所定量Ｑ（ｇ）のバイオマスを加えることであって、上記バイオマスの量が、得られた混合物の総重量に対して、好ましくは６０重量％以下、より好ましくは２重量％〜４０重量％であること、
（ｉｉｉ）（ｉｉ）で得られた上記混合物のｐＨを測定することであって、上記ｐＨを以下ｐＨ（２）と示すこと、及び、
（ｉｖ）以下のアルゴリズム（４）：
Ｒ＝（１０−ｐＨ（１）−１０−ｐＨ（２））・１０００・Ｖ／Ｑ）（４）
（式中、ｐＨ（１）、ｐＨ（２）、Ｖ、及びＱは上記と同じ意味を持つ）に従ってＲを決定すること、
によって得られ、上記の基本操作を室温で行い、
但し、下記式（５）：
Ｒ最小＝ｍ有機酸／Ｇ２（５）
（式中、ｍ有機酸は、存在する有機酸のｍｍｏｌであり、Ｇ２は上記と同じ意味を持つ）に従って定義されるＲ最小比（ｍｍｏｌ／ｇ）が、０．２０ｍｍｏｌ／ｇ以上、好ましくは０．２５ｍｍｏｌ／ｇ以上であるような量で上記少なくとも１つの有機酸が存在することを条件とし、上記少なくとも１つの無機酸が存在する場合、上記有機酸のｍｍｏｌ（ｍ有機酸）は、２つの酸の量の合計、すなわち、無機酸の量（ｍｍｏｌ）と有機酸の量（ｍｍｏｌ）との和よりも少ない量で存在し、上記合計は、上記の式（１）で定義される総モル数ｍＴＯＴ（ｍｍｏｌ）に対応する、方法である。
【発明を実施するための形態】
【００５３】
本明細書及び添付の特許請求の範囲の目的では、上記アルゴリズムは、有限時間内で所与の結果につながる基本操作の順序付けされた有限の系列によって表されることが理解される。特に、アルゴリズムを構成する操作は「基本」であり、すなわちそれ以上分けることができず、アルゴリズムを構成する基本操作は、ヒトであろうと人工物であろうとオペレーターによって直接的で一義的な方法で、すなわち明確に解釈することができ、アルゴリズムは有限数の基本操作で構成されていて、有限量の入力データを必要とし、実行は有限時間の後に終了し、実行は明白な結果をもたらす。
【００５４】
本明細書及び添付の特許請求の範囲の目的では、別段の指定がない限り、数値範囲の定義には常に極値が含まれる。
【００５５】
本明細書及び添付の特許請求の範囲の目的では、「含む、含んでいる」という用語には、「実質的に〜のみからなる」又は「〜のみからなる」という用語も含まれる。
【００５６】
本明細書及び添付の特許請求の範囲の目的では、「グアユール植物」という用語は、パルテニウム・アルジェンタツム種及び上に列挙される種のグアユール植物の両方を総称的に指す。
【００５７】
本明細書及び添付の特許請求の範囲の目的では、「５個の炭素原子（Ｃ５）を有する糖」という用語は、化学式Ｃ５Ｈ１０Ｏ５を有する５個の炭素原子で構成される単糖炭水化物であるペントース糖、又はより簡潔にはペントースを意味する。同様に、本明細書及び添付の特許請求の範囲の目的では、「６個の炭素原子（Ｃ６）を有する糖」という用語は、化学式Ｃ６Ｈ１２Ｏ６を有する６個の炭素原子で構成される単糖炭水化物であるヘキソース糖、又はより簡潔にはヘキソースを意味する。
【００５８】
本明細書及び添付の特許請求の範囲の目的では、「グアユール植物に由来するバイオマス」という用語は、任意の形態（例えば、植物全体、根、枝及び／又は茎、葉、存在する場合には樹皮を含む植物の部分、細断、粉砕等によって得られる植物片、植物片を圧縮して得られるブリケット及びペレット）を意味し、グアユール植物は、化学的方法及び／又は物理的方法によってラテックス、ゴム、樹脂、バガス、糖、及び植物自体に存在するその他の成分を得るために使用される。
【００５９】
本明細書及び添付の特許請求の範囲の目的では、「バガス」とは、グアユール植物が供され得る抽出プロセスから生じる残量の植物性素材を意味する。リグニン及び多糖（例えば、セルロース及びヘミセルロース）に加えて、バガスは、典型的には植物の根に関連し、成長培地に由来する少量の非植物性材料（例えば、培養土、砂等）も含むことがある。
【００６０】
本明細書及び添付の特許請求の範囲の目的では、「室温」という用語は、１５℃〜３０℃の温度を意味する。
【００６１】
本発明の目的では、（ｉ）で調製される上記少なくとも１つの有機酸と、任意に存在する上記少なくとも１つの第１の量の上記少なくとも１つの無機酸との水溶液のｐＨ、すなわち、ｐＨ（１）と、（ｉｉ）で得られる混合物のｐＨ、すなわちｐＨ（２）との両方を、当該技術分野で知られている手法を用いてモニターすることができることに留意すべきである。本発明の目的では、ｐＨをｐＨメーターによって継続的にモニターすることが好ましい。
【００６２】
本発明の好ましい実施形態によれば、上記グアユール植物に由来するバイオマスは、上記グアユール植物が供される抽出プロセスに由来するバガスである。
【００６３】
上で言及されるように、バガスを得るためのグアユール植物が供され得る抽出プロセスは、例えば、上で言及される本出願人名義の特許文献１２若しくは特許文献１３、又は上で言及される特許文献２に記載されるように、当該技術分野で知られている。本発明の目的では、上記バガスは、好ましくは上記のように操作することによって得ることができ、すなわち、
参照として本明細書に含まれる特許文献２の実施例２に記載されるプロセスに従って操作して得られるバガス（上記特許ではＧＲ−２として識別されるサンプルであって、下記実施例では「バガス（１）」と称する）、又は、
参照として本明細書に含まれる、本出願人名義の特許文献１３の実施例１〜実施例３に記載されるプロセスに従って操作することで得られるバガス（ラテックス、樹脂及びゴムの抽出後に得られるサンプルであって、下記実施例では「バガス（２）」と称する）、
である。
【００６４】
本発明の好ましい実施形態によれば、かかるバイオマスを水と、上記少なくとも１つの有機酸と、任意に存在する上記少なくとも１つの無機酸とに接触させる前に、予備粉砕プロセスに供してもよい。好ましくは、上記バイオマスは、０．１ｍｍ〜１０ｍｍ、より好ましくは０．５ｍｍ〜４ｍｍの直径を有する粒子に粉砕され得る。直径が２ｍｍ未満の粒子が特に好ましい。
【００６５】
本発明の好ましい実施形態によれば、上記少なくとも１つの有機酸は、例えば、一般式（Ｉ）：
Ｒ−ＳＯ３Ｈ（Ｉ）
（式中、Ｒは直鎖又は分岐鎖のＣ１〜Ｃ６、好ましくはＣ１〜Ｃ３のアルキル基を表す）を有するアルキルスルホン酸から選択され得る。
【００６６】
本発明の特に好ましい実施形態によれば、上記少なくとも１つの有機酸は、メタンスルホン酸（ＣＨ３−ＳＯ３Ｈ）である。
【００６７】
本発明の好ましい実施形態によれば、上記少なくとも１つの無機酸は、例えば、塩酸（ＨＣｌ）、硝酸（ＨＮＯ３）、硫酸（Ｈ２ＳＯ４）、又はそれらの混合物等の強無機酸から選択され得る。
【００６８】
本発明の特に好ましい実施形態によれば、上記少なくとも１つの無機酸は、硫酸（Ｈ２ＳＯ４）である。
【００６９】
本発明の対象である方法の目的では、少なくとも１つの有機酸の存在が不可欠であることに留意すべきである。実際、下記実施例からもわかるように、無機酸の使用だけでは、グアユール植物に由来するバイオマス中に存在する、特にバガスにおけるヘミセルロースの変換、及び糖の選択性の観点から所望される高い性能は得られない。実際、無機酸の使用だけでは、ヘミセルロースの変換及び糖の選択性の点で性能が劣ることにつながる。上記観察に従えば、有機酸を無機酸で部分的に置き換えても方法の性能に影響を与えないことも驚くべきことであり、実際には全体として有機酸のみを用いて得られるものに匹敵する。上で言及したように、有機酸を無機酸で部分的に置き換えることは、コスト削減につながり、したがって経済的利点をもたらす。
【００７０】
本発明の好ましい実施形態によれば、グアユール植物に由来するバイオマスから糖を製造する上記方法は、
（ａ）所定量（Ｇ２）（ｇ）の上記バイオマスを、所定量（Ｇ１）（ｇ）の水と、少なくとも１つの有機酸と、任意に少なくとも１つの無機酸とに、リアクター内で接触させて、第１の反応混合物を得ることと、
（ｂ）リアクターを、２０分間〜２時間、好ましくは４０分間〜１時間に亘って、所望の温度、好ましくは１００℃〜１８０℃、より好ましくは１３０℃〜１５０℃に加熱して、第１の固相及び第１の水相を含む第２の反応混合物を得ることと、
（ｃ）任意に、第１の固相及び第１の水相を含む上記第２の反応混合物を３０秒間〜１時間、好ましくは５分間〜２０分間に亘って、上記所望の温度に保持することと、
（ｄ）上記リアクターから上記第２の反応混合物を回収することと、
を含む。
【００７１】
本発明の目的では、段階（ａ）において、成分、すなわちバイオマス、水、有機酸、及び任意に無機酸を接触させる順序は、本発明の目的には無関係であることに留意すべきである。特に、上記成分を接触させる任意の順序は、本発明の実施形態を構成する。上記少なくとも１つの有機酸及び任意に少なくとも１つの無機酸の量は、上に定義されるＲ１、Ｒ２、及びＲ最小の値に準拠しなければならない。
【００７２】
本発明の好ましい実施形態によれば、上記バイオマスは、上記第１の反応混合物の総重量に対して、１重量％〜６０重量％、好ましくは５重量％〜４５重量％、更により好ましくは１０重量％〜３０重量％の量で上記第１の反応混合物中に存在し得る。
【００７３】
本発明の目的では、上記リアクターは、例えば、オートクレーブ、固定床型リアクター、連続バイオマスフィードを備えるスラリーリアクター（ＣＳＴＲ−連続攪拌タンクリアクター）、押出機等の当該技術分野で知られているリアクターから選択され得る。
【００７４】
本発明の好ましい実施形態によれば、上記リアクターは、連続バイオマスフィードを備えるスラリーリアクター（ＣＳＴＲ−連続攪拌タンクリアクター）から選択される。
【００７５】
本発明の好ましい実施形態によれば、上記第１の固相はリグニン及びセルロースを含み、上記第１の水相は５個の炭素原子（Ｃ５）を有する少なくとも１つの糖、及び任意に６個の炭素原子（Ｃ６）を有する少なくとも１つの糖と、上記少なくとも１つの有機酸、及び任意に上記少なくとも１つの無機酸とを含む。上記少なくとも１つの有機酸及び任意に上記少なくとも１つの無機酸は、バイオマスと接触させる有機酸及び任意に無機酸である。上記少なくとも１つの糖は、特に、キシロースである。上記キシロースはヘミセルロースの酸加水分解に由来する。アラビノース、マンノース、ガラクトース、グルコースもまた、上記第１の水相に存在し得る。
【００７６】
上記第１の固相及び上記第１の水相は、例えば、濾過、遠心分離等の当該技術分野で知られている手法を用いて分離され得る。上記相は濾過によって分離されることが好ましい。
【００７７】
５個の炭素原子（Ｃ５）を有する上記糖、任意に存在する６個の炭素原子（Ｃ６）を有する上記糖、及び上記少なくとも１つの有機酸を上記第１の水相から回収するため、上記第１の水相を、当該技術分野で知られている処理に供することができる。例えば、上記第１の水相を、例えば米国特許第５，７２６，０４６号及び米国特許第５，８２０，６８７号に記載される樹脂を用いる分離段階に供してもよい。上記段階の終わりに、上記有機酸及び任意に上記少なくとも１つの無機酸を含む更なる水相と、５個の炭素原子（Ｃ５）を有する少なくとも１つの糖及び任意に６個の炭素原子（Ｃ６）を含む少なくとも１つの糖を含む第２の水相とが得られる。
【００７８】
次いで、上記有機酸及び任意に存在する上記少なくとも１つの無機酸を、その後、本発明の対象である方法に従って再利用することができる。
【００７９】
５個の炭素原子（Ｃ５）を有する少なくとも１つの糖、及び任意に６個の炭素原子（Ｃ６）を有する少なくとも１つの糖を含む上記第２の水相を、アルコール（例えば、エタノール、ブタノール）、脂質、ジオール（例えば、１，３−プロパンジオール、１，３−ブタンジオール、１，４−ブタンジオール、２，３−ブタンジオール）の製造のための発酵プロセスにおいて、又は他の中間体若しくは化学物質の製造のための化学合成プロセスにおいて、それ自体で、又は特に６個の炭素原子（Ｃ６）を有する糖に富む溶液との混合物で使用することができる。上記アルコール及び脂質は、それ自体で又は他の自動車燃料とのブレンドで使用することができるバイオ燃料（例えば、バイオディーゼル又は「グリーンディーゼル」）の製造に有利に使用され得て、また一方で、上記ジオールは、例えば、ゴム（例えば、ポリブタジエン又はその共重合体）の製造に使用され得るバイオブタジエン等の生成物の製造に使用され得る。バイオ精製所の場合、上記用途は特に重要である。
【００８０】
上で言及するように、本発明の対象である方法は、５個の炭素原子（Ｃ５）を有する少なくとも１つの糖、及び任意に６個の炭素原子（Ｃ６）を有する少なくとも１つの糖、特にキシロース、アラビノース等の５個の炭素原子（Ｃ５）を有する少なくとも１つの糖を、ヘミセルロースの酸加水分解から高収率で得ることを可能にする。より具体的には、上記方法は、５個の炭素原子（Ｃ５）を有する糖及び６個の炭素原子（Ｃ６）を有する糖の９５％以上の収率を得ることを可能にし、上記収率は、開始バイオマス中に存在するヘミセルロースの総量に対して計算される。これに加えて、本発明の対象である方法は、７０％以上の５個の炭素原子（Ｃ５）を有する糖の含有量（％）を得ることを可能にし、上記含有量は以下に記載されるとおりに計算される。
【００８１】
本発明の対象である方法はまた、高収率のセルロース及びリグニンを得ることを可能にする。
【００８２】
本発明の対象である方法に従って得られたセルロース及びリグニンを含む上記第１の固相を、セルロースをグルコースに加水分解する酵素加水分解プロセスで使用することができる。酵素加水分解プロセスは、例えば、米国特許第５，６２８，８３０号、米国特許第５，９１６，７８０号及び米国特許第６，０９０，５９５号に記載される当該技術分野で知られている手法に従い、個別に又はそれらの混合物で使用されるＣｅｌｌｕｃｌａｓｔ  １．５Ｌ（Novozymes）、Ｅｃｏｎａｓｅ  ＣＥ（Rohm Enzymes）、Ｓｐｅｚｙｍｅ（Genecor）、Ｎｏｖｏｚｙｍ  １８８（Novozymes）等の市販の酵素を用いて行われ得る。
【００８３】
上記第１の固相の酵素加水分解から、リグニンを含む第２の固相、及びセルロースの加水分解に由来するグルコースを含む第３の水相が得られる。
【００８４】
上記第２の固相及び上記第３の液相は、例えば、濾過又は遠心分離等の当該技術分野で知られている手法によって分離され得る。上記相は濾過によって分離されることが好ましい。
【００８５】
グルコースを含む上記第３の水相を、アルコール（例えば、エタノール、ブタノール）、脂質、ジオール（例えば、１，３−プロパンジオール、１，３−ブタンジオール、１，４−ブタンジオール、２，３−ブタンジオール）の発酵プロセスにおいて、又は他の中間体若しくは化学物質の製造のための化学合成プロセスにおいて、それ自体で、又は特に５個の炭素原子（Ｃ５）を有する糖に富む溶液との混合物で原料として使用することができる。上記アルコール及び脂質は、それ自体で又は他の自動車燃料とのブレンドで使用することができるバイオ燃料（例えば、バイオディーゼル又は「グリーンディーゼル」）の製造に有利に使用され得て、また一方で、上記ジオールは、例えば、ゴム（例えば、ポリブタジエン又はその共重合体）の製造に使用され得るバイオブタジエン等の生成物の製造に使用され得る。バイオ精製所の場合、上記用途は特に重要である。
【００８６】
リグニンを含む上記第２の固相は、燃料として、例えばバイオマス処理プロセスを支援するために必要なエネルギーを生成する燃料として使用することができる。発酵プロセスは、当該技術分野、例えば、米国特許出願公開第２０１３／０２２４３３３号及び国際公開第２００８／１４１３１７号（酵母の存在下での発酵）、又は米国特許出願公開第２０１０／０３０５３４１号及び国際公開第２０１１／０５１９７７号（遺伝子改変された含油性酵母（oleaginous yeasts）の存在下での発酵）、又は国際公開第２０１０／１２７３１９号（遺伝改変された微生物の存在下での発酵）に記載されている。
【００８７】
本発明をよりよく理解し、実施するため、幾つかの実例及び非限定的な例を以下に説明する。
【実施例】
【００８８】
分析及び特性評価の方法
以下に挙げる分析及び特性評価の方法を使用した。
【００８９】
開始バイオマスの分析
開始バイオマスは、例えばVan Soest, P. J. and Wine, R. H. "Use of detergents in the analysis of fibrous feeds. IV. Determination of plant cell-wall constituents", Journal of Association of Official Analytical Chemistry (1967), Vol. 50, pg. 50-55に記載されるとおり、Van Soestの繊維分画システム（Van Soest's fibrous fraction system）を用いて分析し、細胞壁の構成要素、特にヘミセルロース、セルロース、及びリグニンを定量した。
【００９０】
第１の水相に存在する化合物の分析
第１の水相に存在する糖をイオンクロマトグラフィーで以下の操作条件を用いて分析した。
機器：Ｄｉｏｎｅｘ  ＩＣ３０００、ＰＡ１００カラム；
溶離液：水酸化ナトリウム（ＮａＯＨ）（１００ｍＭ）−水酸化ナトリウム（ＮａＯＨ）２００ｍＭ中の酢酸ナトリウム（ＣＨ３ＣＯＯＮａ）０．６Ｍ；
溶出プログラム：勾配、電気化学検出器。
【００９１】
第１の水相に存在する副生成物、すなわちフルフラール（Ｆ）及びヒドロキシメチルフルフラール（ＨＭＦ）を、以下の操作条件を用いて液体クロマトグラフィーによって分析した。
機器：ＨＰ  １１００、Ｉｎｅｒｔｓｉｌ  Ｃ１８カラム；
溶離液：０．０１Ｍリン酸−アセトニトリル（ＣＨ３ＣＮ）；
溶出プログラム：勾配、ＵＶ−ＤＡＤ検出器。
【００９２】
５個の炭素原子（Ｃ５）を有する糖の収率、含有量、及び副生成物の生成量の計算
収率は、下記式に従って、上記第１の水相中に存在する５個の炭素原子（Ｃ５）及び６個の炭素原子（Ｃ６）を有する糖（すなわち、それぞれペントース（Ｃ５）及びヘキソース（Ｃ６））と、開始バイオマス中に存在するヘミセルロースの総量とのパーセント比として、分析結果（すなわち、上記のとおりに実施された第１の水相に存在する化合物の分析）に基づいて表した：
収率＝（ｍＣ５＋ｍＣ６）／ｍヘミセルロース×１００
（式中、
Ｃ５は、溶液中に存在するペントースであり、
Ｃ６は、溶液中に存在するヘキソースであり、
ｍは、化合物の重量であり、
ヘミセルロースは、開始バイオマス中に存在するヘミセルロースである）。
【００９３】
各実施例について、第１の水相に存在する５個の炭素原子（Ｃ５）を有する糖（すなわちペントース）の含有量（％）も下記式に従って決定した：
含有量Ｃ５＝ｍＣ５／（ｍＣ５＋ｍＣ６）×１００
（式中、Ｃ５、Ｃ６、及びｍは上記と同じ意味を持つ）。
【００９４】
副生成物、すなわちヒドロキシメチルフルフラール（ＨＭＦ）及びフルフラール（Ｆ）の生成量を効果的に表すため、分解率を下記式に従って計算した：
Ｃ６分解率＝ｍＨＭＦ／（ｍＣ６＋ｍＨＭＦ）×１００
Ｃ５分解率＝ｍＦ／（ｍＣ５＋ｍＦ）×１００
（式中、Ｃ５、Ｃ６及びｍは上記と同じ意味を持ち、
Ｆは、フルフラールであり、
ＨＭＦは、ヒドロキシメチルフルフラールである）。
【００９５】
アルゴリズム（４）によるＲの決定
バガス（１）及びバガス（２）の両方に対して同じプロセスを行った。詳細には、メタンスルホン酸（ＣＨ３−ＳＯ３Ｈ）の溶液を室温で水１００ｍｌに適量のメタンスルホン酸（ＣＨ３−ＳＯ３Ｈ）を添加することによりｐＨ＝０．９で調製し、２００ｍｌのビーカーで磁気スターラーを用いて６００ｒｐｍで激しく攪拌を続けた。溶液に接触させたｐＨメーター（Ｍｅｔｒｏｈｍ  ７８１  ｐＨ／イオンメーター）の電極によって作業をモニターした。上記溶液にバイオマス（それぞれ、バガス（１）又はバガス（２））２１ｇを加えた。得られた混合物を、添加作業中に絶えず激しく攪拌し（６００ｒｐｍ）、その後、ｐＨが安定するまで保持し、一連の作業を通して、ｐＨメーター電極（Ｍｅｔｒｏｈｍ  ７８１、ｐＨ／イオンメーター）を得られた混合物と接触させて保持した。上記ｐＨ安定性を添加の１５分後、ｐＨ２．０２で達成した。次いで、便宜上、以下に示すアルゴリズム（４）：
Ｒ＝（１０−ｐＨ（１）−１０−ｐＨ（２））・１０００・Ｖ／Ｑ
（式中、
ｐＨ（１）＝０．９；
ｐＨ（２）＝２．０２；
Ｖ（ｌ）＝０．１；
Ｑ（ｇ）＝２１である）を使用してＲの値を決定し、バガス（１）及びバガス（２）の両方について、Ｒ＝０．５５ｍｍｏｌ／ｇの値を得た。
【００９６】
実施例１（比較）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（１）１３５ｇ（２ｍｍ未満まで篩過）を加えた（Ｒ２＝０．００ｍｍｏｌ／ｇ、Ｒ最小＝０．８２ｍｍｏｌ／ｇ）。
【００９７】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【００９８】
オートクレーブを室温まで冷却させた後、上記相を濾過によって分離した。
【００９９】
上記のように特定された開始バイオマスの組成は次のとおりであった：開始バイオマスの総重量に対して、セルロース４２．３重量％、ヘミセルロース１８．２重量％、リグニン２４．１重量％。残部は、有機酸、タンパク質及び非タンパク質窒素物質、脂質、無機塩、樹脂、並びに残留ゴムで構成されていた。
【０１００】
上記のように第１の水相を分析したところ、次の結果が得られた（表１に示す）：
収率：８０．３％（開始バイオマス中に存在するヘミセルロースの総量に対して）、
Ｃ６分解：０．０％、
Ｃ５分解：０．７％、
Ｃ５含有量：７９．４％。
【０１０１】
実施例２（比較）
水８８５ｇ及び硫酸（Ｈ２ＳＯ４）１０．７ｇ（１０９．１ｍｍｏｌ）（第１の量の無機酸）をオープンエアで２ｌ容のＢｒｉｇｎｏｌｅオートクレーブに入れた（Ｒ１＝０．１２ｍｍｏｌ／ｇ）。その後、予め粉砕しておいたグアユール植物（パルテニウム・アルジェンタツム）に由来するバガス（１）１３５ｇ（２ｍｍ未満まで篩過）を加えた（Ｒ２＝０．００ｍｍｏｌ／ｇ、Ｒ最小＝０．００ｍｍｏｌ／ｇ）。
【０１０２】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１０３】
オートクレーブを室温まで冷却させた後、上記相を濾過によって分離した。
【０１０４】
上記のように特定された開始バイオマスの組成は次のとおりであった：開始バイオマスの総重量に対して、セルロース４２．３重量％、ヘミセルロース１８．２重量％、リグニン２４．１重量％。残部は、有機酸、タンパク質及び非タンパク質窒素物質、脂質、無機塩、樹脂、並びに残留ゴムで構成されていた。
【０１０５】
上記のように第１の水相を分析したところ、次の結果が得られた（表１に示す）：
収率：６９．１％（開始バイオマス中に存在するヘミセルロースの総量に対して）、
Ｃ６分解：１．７％、
Ｃ５分解：３．２％、
Ｃ５含有量：７２．６％。
【０１０６】
実施例３（発明）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（１）１３５ｇ（２ｍｍ未満まで篩過）を加えた。最後に、式（１）及び後続する式に従って決定されたメタンスルホン酸（ＣＨ３−ＳＯ３Ｈ）７．１ｇ（７３．９ｍｍｏｌ）（第２の量の有機酸）を加え（Ｒ２＝０．５５ｍｍｏｌ／ｇ、Ｒ最小＝１．３７ｍｍｏｌ／ｇ）、合計ｍＴＯＴ＝１８５．２ｍｍｏｌを加えた。
【０１０７】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１０８】
オートクレーブを室温まで冷却させた後、上記相を濾過によって分離した。
【０１０９】
上記のように特定された開始バイオマスの組成は次のとおりであった：開始バイオマスの総重量に対して、セルロース４２．３重量％、ヘミセルロース１８．２重量％、リグニン２４．１重量％。残部は、有機酸、タンパク質及び非タンパク質窒素物質、脂質、無機塩、樹脂、並びに残留ゴムで構成されていた。
【０１１０】
上記のように第１の水相を分析したところ、次の結果が得られた（表１に示す）：
収率：９５．０％（開始バイオマス中に存在するヘミセルロースの総量に対して）、
Ｃ６分解：０．０％、
Ｃ５分解：４．６％、
Ｃ５含有量：８０．５％。
【０１１１】
実施例４（比較）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（２）１３５ｇ（２ｍｍ未満まで篩過）を加えた（Ｒ２＝０．００ｍｍｏｌ／ｇ、Ｒ最小＝０．８２ｍｍｏｌ／ｇ）。
【０１１２】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１１３】
オートクレーブを室温まで冷却させた後、上記相を濾過によって分離した。
【０１１４】
上記のように特定された開始バイオマスの組成は次のとおりであった：開始バイオマスの総重量に対して、セルロース４７．０重量％、ヘミセルロース２０．２重量％、リグニン２６．８重量％。残部は、有機酸、タンパク質及び非タンパク質窒素物質、脂質、並びに無機塩で構成されていた。
【０１１５】
上記のように第１の水相を分析したところ、次の結果が得られた（表２に示す）：
収率：７９．９％（開始バイオマス中に存在するヘミセルロースの総量に対して）、
Ｃ６分解：０．０％、
Ｃ５分解：０．６％、
Ｃ５含有量：８０．４％。
【０１１６】
実施例５（比較）
水８８５ｇ及び硫酸（Ｈ２ＳＯ４）１０．７ｇ（１０９．１ｍｍｏｌ）（第１の量の無機酸）をオープンエアで２ｌ容のＢｒｉｇｎｏｌｅオートクレーブに入れた（Ｒ１＝０．１２ｍｍｏｌ／ｇ）。その後、予め粉砕しておいたグアユール植物（パルテニウム・アルジェンタツム）に由来するバガス（２）１３５ｇ（２ｍｍ未満まで篩過）を加えた（Ｒ２＝０．００ｍｍｏｌ／ｇ、Ｒ最小＝０．００ｍｍｏｌ／ｇ）。
【０１１７】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１１８】
オートクレーブを室温まで冷却させた後、上記相を濾過によって分離した。
【０１１９】
上記のように特定された開始バイオマスの組成は次のとおりであった：開始バイオマスの総重量に対して、セルロース４７．０重量％、ヘミセルロース２０．２重量％、リグニン２６．８重量％。残部は、有機酸、タンパク質及び非タンパク質窒素物質、脂質、並びに無機塩で構成されていた。
【０１２０】
上記のように第１の水相を分析したところ、次の結果が得られた（表２に示す）：
収率：６８．４％（開始バイオマス中に存在するヘミセルロースの総量に対して）、
Ｃ６分解：２．４％、
Ｃ５分解：３．６％、
Ｃ５含有量：７０．１％。
【０１２１】
実施例６（発明）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（２）１３５ｇ（２ｍｍ未満まで篩過）を加えた。最後に、式（１）及び後続する式に従って決定されたメタンスルホン酸（ＣＨ３−ＳＯ３Ｈ）７．１ｇ（７３．９ｍｍｏｌ）（第２の量の有機酸）を加え（Ｒ２＝０．５５ｍｍｏｌ／ｇ、Ｒ最小＝１．３７ｍｍｏｌ／ｇ）、合計ｍＴＯＴ＝１８５．２ｍｍｏｌを加えた。
【０１２２】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１２３】
オートクレーブを室温まで冷却させた後、上記相を濾過によって分離した。
【０１２４】
上記のように特定された開始バイオマスの組成は次のとおりであった：開始バイオマスの総重量に対して、セルロース４７．０重量％、ヘミセルロース２０．２重量％、リグニン２６．８重量％。残部は、有機酸、タンパク質及び非タンパク質窒素物質、脂質、並びに無機塩で構成されていた。
【０１２５】
上記のように第１の水相を分析したところ、次の結果が得られた（表２に示す）：
収率：９５．２％（開始バイオマス中に存在するヘミセルロースの総量に対して）、
Ｃ６分解：０．０％、
Ｃ５分解：４．４％、
Ｃ５含有量：８０．７％。
【０１２６】
実施例７（発明）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（１）１３５ｇ（２ｍｍ未満まで篩過）を加えた。最後に、式（１）及び後続する式に従って決定された硫酸（Ｈ２ＳＯ４）７．１ｇ（７２．４ｍｍｏｌ）（第２の量の無機酸）を加え（Ｒ２＝０．５４ｍｍｏｌ／ｇ、Ｒ最小＝０．８２ｍｍｏｌ／ｇ）、合計ｍＴＯＴ＝１８３．７ｍｍｏｌを加えた。
【０１２７】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１２８】
オートクレーブを室温まで冷却させた後、上記相を濾過によって分離した。
【０１２９】
上記のように特定された開始バイオマスの組成は次のとおりであった：開始バイオマスの総重量に対して、セルロース４２．３重量％、ヘミセルロース１８．２重量％、リグニン２４．１重量％。残部は、有機酸、タンパク質及び非タンパク質窒素物質、脂質、無機塩、樹脂、並びに残留ゴムで構成されていた。
【０１３０】
上記のように第１の水相を分析したところ、次の結果が得られた（表１及び表３に示す）：
収率：９５．１％（開始バイオマス中に存在するヘミセルロースの総量に対して）、
Ｃ６分解：０．０％、
Ｃ５分解：４．５％、
Ｃ５含有量：８０．１％。
【０１３１】
実施例８（発明）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（２）１３５ｇ（２ｍｍ未満まで篩過）を加えた。最後に、式（１）及び後続する式に従って決定された硫酸（Ｈ２ＳＯ４）７．１ｇ（７２．４ｍｍｏｌ）（第２の量の無機酸）を加え（Ｒ２＝０．５４ｍｍｏｌ／ｇ、Ｒ最小＝０．８２ｍｍｏｌ／ｇ）、合計ｍＴＯＴ＝１８３．７ｍｍｏｌを加えた。
【０１３２】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１３３】
オートクレーブを室温まで冷却させた後、上記相を濾過によって分離した。
【０１３４】
上記のように特定された開始バイオマスの組成は次のとおりであった：開始バイオマスの総重量に対して、セルロース４７．０重量％、ヘミセルロース２０．２重量％、リグニン２６．８重量％。残部は、有機酸、タンパク質及び非タンパク質窒素物質、脂質、並びに無機塩で構成されていた。
【０１３５】
上記のように第１の水相を分析したところ、次の結果が得られた（表２及び表４に示す）：
収率：９５．４％（開始バイオマス中に存在するヘミセルロースの総量に対して）、
Ｃ６分解：０．０％、
Ｃ５分解：４．５％、
Ｃ５含有量：８０．３％。
【０１３６】
実施例９（比較）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（１）１３５ｇ（２ｍｍ未満まで篩過）を加えた。最後に、式（１）及び後続する式に従って決定されるよりも少ない硫酸（Ｈ２ＳＯ４）３．０ｇ（３０．６ｍｍｏｌ）（第２の量の無機酸）を加え（Ｒ２＝０．２３ｍｍｏｌ／ｇ、Ｒ最小＝０．８２ｍｍｏｌ／ｇ）、合計ｍＴＯＴ＝１４１．９ｍｍｏｌを加えた。
【０１３７】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１３８】
オートクレーブを室温まで冷却させた後、上記相を濾過によって分離した。
【０１３９】
上記のように特定された開始バイオマスの組成は次のとおりであった：開始バイオマスの総重量に対して、セルロース４２．３重量％、ヘミセルロース１８．２重量％、リグニン２４．１重量％。残部は、有機酸、タンパク質及び非タンパク質窒素物質、脂質、無機塩、樹脂、並びに残留ゴムで構成されていた。
【０１４０】
上記のように第１の水相を分析したところ、次の結果が得られた（表３に示す）：
収率：８７．８％（開始バイオマス中に存在するヘミセルロースの総量に対して）、
Ｃ６分解：０．０％、
Ｃ５分解：３．９％、
Ｃ５含有量：８０．１％。
【０１４１】
実施例１０（比較）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（１）１３５ｇ（２ｍｍ未満まで篩過）を加えた。最後に、式（１）及び後続する式に従って決定されるよりも多い硫酸（Ｈ２ＳＯ４）１１．０ｇ（１１２．２ｍｍｏｌ）（第２の量の無機酸）を加え（Ｒ２＝０．８２ｍｍｏｌ／ｇ、Ｒ最小＝０．８２ｍｍｏｌ／ｇ）、合計ｍＴＯＴ＝２２３．５ｍｍｏｌを加えた。
【０１４２】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１４３】
オートクレーブを室温まで冷却させた後、上記相を濾過によって分離した。
【０１４４】
上記のように特定された開始バイオマスの組成は次のとおりであった：開始バイオマスの総重量に対して、セルロース４２．３重量％、ヘミセルロース１８．２重量％、リグニン２４．１重量％。残部は、有機酸、タンパク質及び非タンパク質窒素物質、脂質、無機塩、樹脂、並びに残留ゴムで構成されていた。
【０１４５】
上記のように第１の水相を分析したところ、次の結果が得られた（表３に示す）：
収率：８６．１％（開始バイオマス中に存在するヘミセルロースの総量に対して）、
Ｃ６分解：０．０％、
Ｃ５分解：７．２％、
Ｃ５含有量：７４．３％。
【０１４６】
実施例１１（比較）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（２）１３５ｇ（２ｍｍ未満まで篩過）を加えた。最後に、式（１）及び後続する式に従って決定されるよりも少ない硫酸（Ｈ２ＳＯ４）３．０ｇ（３０．６ｍｍｏｌ）（第２の量の無機酸）を加え（Ｒ２＝０．２３ｍｍｏｌ／ｇ、Ｒ最小＝０．８２ｍｍｏｌ／ｇ）、合計ｍＴＯＴ＝１４１．９ｍｍｏｌを加えた。
【０１４７】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１４８】
オートクレーブを室温まで冷却させた後、上記相を濾過によって分離した。
【０１４９】
上記のように特定された開始バイオマスの組成は次のとおりであった：開始バイオマスの総重量に対して、セルロース４７．０重量％、ヘミセルロース２０．２重量％、リグニン２６．８重量％。残部は、有機酸、タンパク質及び非タンパク質窒素物質、脂質、並びに無機塩で構成されていた。
【０１５０】
上記のように第１の水相を分析したところ、次の結果が得られた（表４に示す）：
収率：８４．７％（開始バイオマス中に存在するヘミセルロースの総量に対して）、
Ｃ６分解：０．０％、
Ｃ５分解：３．２％、
Ｃ５含有量：８０．５％。
【０１５１】
実施例１２（比較）
水８８５ｇ及びメタンスルホン酸（ＣＨ３−ＳＯ３Ｈ）１０．７ｇ（１１１．３ｍｍｏｌ）（第１の量の有機酸）をオープンエアで２ｌ容のＢｒｉｇｎｏｌｅオートクレーブに入れた（Ｒ１＝０．１３ｍｍｏｌ／ｇ）。その後、予め粉砕しておいたグアユール植物（パルテニウム・アルジェンタツム）に由来するバガス（２）１３５ｇ（２ｍｍ未満まで篩過）を加えた。最後に、式（１）及び後続する式に従って決定されるよりも多い硫酸（Ｈ２ＳＯ４）１１．０ｇ（１１２．２ｍｍｏｌ）（第２の量の無機酸）を加え（Ｒ２＝０．８２ｍｍｏｌ／ｇ、Ｒ最小＝０．８２ｍｍｏｌ／ｇ）、合計ｍＴＯＴ＝２２３．５ｍｍｏｌを加えた。
【０１５２】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１５３】
オートクレーブを室温まで冷却させた後、上記相を濾過によって分離した。
【０１５４】
上記のように特定された開始バイオマスの組成は次のとおりであった：開始バイオマスの総重量に対して、セルロース４７．０重量％、ヘミセルロース２０．２重量％、リグニン２６．８重量％。残部は、有機酸、タンパク質及び非タンパク質窒素物質、脂質、並びに無機塩で構成されていた。
【０１５５】
上記のように第１の水相を分析したところ、次の結果が得られた（表４に示す）：
収率：８６．３％（開始バイオマス中に存在するヘミセルロースの総量に対して）、
Ｃ６分解：４．３％、
Ｃ５分解：７．４％、
Ｃ５含有量：７１．３％。
【０１５６】
実施例１３（発明）
水８８５ｇ、メタンスルホン酸（ＣＨ３−ＳＯ３Ｈ）５．３ｇ（５５．１４ｍｍｏｌ）（第１の量の有機酸）、及び硫酸（Ｈ２ＳＯ４）５．５ｇ（５６．２ｍｍｏｌ）（第１の量の無機酸）（Ｒ１＝０．１３ｍｍｏｌ／ｇ）を、オープンエアで２ｌ容のＢｒｉｇｎｏｌｅオートクレーブに入れた。その後、予め粉砕しておいたグアユール植物（パルテニウム・アルジェンタツム）に由来するバガス（１）１３５ｇ（２ｍｍ未満まで篩過）を加えた。最後に、式（１）及び後続する式に従って決定される硫酸（Ｈ２ＳＯ４）を更に７．０ｇ（７１．４ｍｍｏｌ）（第２の量の無機酸）加え（Ｒ２＝０．５３ｍｍｏｌ／ｇ、Ｒ最小＝０．４１ｍｍｏｌ／ｇ）、合計ｍＴＯＴ＝１８２．７ｍｍｏｌを加えた。
【０１５７】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１５８】
オートクレーブを室温まで冷却させた後、上記相を濾過によって分離した。
【０１５９】
上記のように特定された開始バイオマスの組成は次のとおりであった：開始バイオマスの総重量に対して、セルロース４２．３重量％、ヘミセルロース１８．２重量％、リグニン２４．１重量％。残部は、有機酸、タンパク質及び非タンパク質窒素物質、脂質、無機塩、樹脂、並びに残留ゴムで構成されていた。
【０１６０】
上記のように第１の水相を分析したところ、次の結果が得られた（表５に示す）：
収率：９６．０％（開始バイオマス中に存在するヘミセルロースの総量に対して）、
Ｃ６分解：０．０％、
Ｃ５分解：４．６％、
Ｃ５含有量：８１．２％。
【０１６１】
実施例１４（発明）
水８８５ｇ、メタンスルホン酸（ＣＨ３−ＳＯ３Ｈ）３．３ｇ（３４．３ｍｍｏｌ）（第１の量の有機酸）、及び硫酸（Ｈ２ＳＯ４）７．６ｇ（７７．５ｍｍｏｌ）（第１の量の無機酸）（Ｒ１＝０．１３ｍｍｏｌ／ｇ）を、オープンエアで２ｌ容のＢｒｉｇｎｏｌｅオートクレーブに入れた。その後、予め粉砕しておいたグアユール植物（パルテニウム・アルジェンタツム）に由来するバガス（１）１３５ｇ（２ｍｍ未満まで篩過）を加えた。最後に、式（１）及び後続する式に従って決定される硫酸（Ｈ２ＳＯ４）を更に７．０ｇ（７１．４ｍｍｏｌ）（第２の量の無機酸）加え（Ｒ２＝０．５３ｍｍｏｌ／ｇ、Ｒ最小＝０．２５ｍｍｏｌ／ｇ）、合計ｍＴＯＴ＝１８３．２ｍｍｏｌを加えた。
【０１６２】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１６３】
オートクレーブを室温まで冷却させた後、上記相を濾過によって分離した。
【０１６４】
上記のように特定された開始バイオマスの組成は次のとおりであった：開始バイオマスの総重量に対して、セルロース４２．３重量％、ヘミセルロース１８．２重量％、リグニン２４．１重量％。残部は、有機酸、タンパク質及び非タンパク質窒素物質、脂質、無機塩、樹脂、並びに残留ゴムで構成されていた。
【０１６５】
上記のように第１の水相を分析したところ、次の結果が得られた（表５に示す）：
収率：９５．４％（開始バイオマス中に存在するヘミセルロースの総量に対して）、
Ｃ６分解：０．０％、
Ｃ５分解：４．２％、
Ｃ５含有量：７９．８％。
【０１６６】
実施例１５（比較）
水８８５ｇ、メタンスルホン酸（ＣＨ３−ＳＯ３Ｈ）２．１ｇ（２１．８ｍｍｏｌ）（第１の量の有機酸）、及び硫酸（Ｈ２ＳＯ４）８．７ｇ（８８．７ｍｍｏｌ）（第１の量の無機酸）（Ｒ１＝０．１３ｍｍｏｌ／ｇ）を、オープンエアで２ｌ容のＢｒｉｇｎｏｌｅオートクレーブに入れた。その後、予め粉砕しておいたグアユール植物（パルテニウム・アルジェンタツム）に由来するバガス（１）１３５ｇ（２ｍｍ未満まで篩過）を加えた。最後に、式（１）及び後続する式に従って決定される硫酸（Ｈ２ＳＯ４）を更に７．０ｇ（７１．４ｍｍｏｌ）（第２の量の無機酸）加え（Ｒ２＝０．５３ｍｍｏｌ／ｇ、Ｒ最小＝０．１６ｍｍｏｌ／ｇ）、合計ｍＴＯＴ＝１８１．９ｍｍｏｌを加えた。
【０１６７】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１６８】
オートクレーブを室温まで冷却させた後、上記相を濾過によって分離した。
【０１６９】
上記のように特定された開始バイオマスの組成は次のとおりであった：開始バイオマスの総重量に対して、セルロース４２．３重量％、ヘミセルロース１８．２重量％、リグニン２４．１重量％。残部は、有機酸、タンパク質及び非タンパク質窒素物質、脂質、無機塩、樹脂、並びに残留ゴムで構成されていた。
【０１７０】
上記のように第１の水相を分析したところ、次の結果が得られた（表５に示す）：
収率：８１．４％（開始バイオマス中に存在するヘミセルロースの総量に対して）、
Ｃ６分解：０．０％、
Ｃ５分解：１．１％、
Ｃ５含有量：７９．２％。
【０１７１】
実施例１６（発明）
水８８５ｇ、メタンスルホン酸（ＣＨ３−ＳＯ３Ｈ）５．３ｇ（５５．１４ｍｍｏｌ）（第１の量の有機酸）、及び硫酸（Ｈ２ＳＯ４）５．５ｇ（５６．２ｍｍｏｌ）（第１の量の無機酸）（Ｒ１＝０．１３ｍｍｏｌ／ｇ）を、オープンエアで２ｌ容のＢｒｉｇｎｏｌｅオートクレーブに入れた。その後、予め粉砕しておいたグアユール植物（パルテニウム・アルジェンタツム）に由来するバガス（２）１３５ｇ（２ｍｍ未満まで篩過）を加えた。最後に、式（１）及び後続する式に従って決定される硫酸（Ｈ２ＳＯ４）を更に７．０ｇ（７１．４ｍｍｏｌ）（第２の量の無機酸）加え（Ｒ２＝０．５３ｍｍｏｌ／ｇ、Ｒ最小＝０．４１ｍｍｏｌ／ｇ）、合計ｍＴＯＴ＝１８２．７ｍｍｏｌを加えた。
【０１７２】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１７３】
オートクレーブを室温まで冷却させた後、上記相を濾過によって分離した。
【０１７４】
上記のように特定された開始バイオマスの組成は次のとおりであった：開始バイオマスの総重量に対して、セルロース４７．０重量％、ヘミセルロース２０．２重量％、リグニン２６．８重量％。残部は、有機酸、タンパク質及び非タンパク質窒素物質、脂質、並びに無機塩で構成されていた。
【０１７５】
上記のように第１の水相を分析したところ、次の結果が得られた（表６に示す）：
収率：９５．２％（開始バイオマス中に存在するヘミセルロースの総量に対して）、
Ｃ６分解：０．０％、
Ｃ５分解：４．３％、
Ｃ５含有量：８０．７％。
【０１７６】
実施例１７（発明）
水８８５ｇ、メタンスルホン酸（ＣＨ３−ＳＯ３Ｈ）３．３ｇ（３４．３ｍｍｏｌ）（第１の量の有機酸）、及び硫酸（Ｈ２ＳＯ４）７．６ｇ（７７．５ｍｍｏｌ）（第１の量の無機酸）（Ｒ１＝０．１３ｍｍｏｌ／ｇ）を、オープンエアで２ｌ容のＢｒｉｇｎｏｌｅオートクレーブに入れた。その後、予め粉砕しておいたグアユール植物（パルテニウム・アルジェンタツム）に由来するバガス（２）１３５ｇ（２ｍｍ未満まで篩過）を加えた。最後に、式（１）及び後続する式に従って決定される硫酸（Ｈ２ＳＯ４）を更に７．０ｇ（７１．４ｍｍｏｌ）（第２の量の無機酸）加え（Ｒ２＝０．５３ｍｍｏｌ／ｇ、Ｒ最小＝０．２５ｍｍｏｌ／ｇ）、合計ｍＴＯＴ＝１８３．２ｍｍｏｌを加えた。
【０１７７】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１７８】
オートクレーブを室温まで冷却させた後、上記相を濾過によって分離した。
【０１７９】
上記のように特定された開始バイオマスの組成は次のとおりであった：開始バイオマスの総重量に対して、セルロース４７．０重量％、ヘミセルロース２０．２重量％、リグニン２６．８重量％。残部は、有機酸、タンパク質及び非タンパク質窒素物質、脂質、並びに無機塩で構成されていた。
【０１８０】
上記のように第１の水相を分析したところ、次の結果が得られた（表６に示す）：
収率：９５．０％（開始バイオマス中に存在するヘミセルロースの総量に対して）、
Ｃ６分解：０．０％、
Ｃ５分解：４．６％、
Ｃ５含有量：８１．２％。
【０１８１】
実施例１８（比較）
水８８５ｇ、メタンスルホン酸（ＣＨ３−ＳＯ３Ｈ）２．１ｇ（２１．８ｍｍｏｌ）（第１の量の有機酸）、及び硫酸（Ｈ２ＳＯ４）８．７ｇ（８８．７ｍｍｏｌ）（第１の量の無機酸）（Ｒ１＝０．１３ｍｍｏｌ／ｇ）を、オープンエアで２ｌのＢｒｉｇｎｏｌｅオートクレーブに入れた。その後、予め粉砕しておいたグアユール植物（パルテニウム・アルジェンタツム）に由来するバガス（１）１３５ｇ（２ｍｍ未満まで篩過）を加えた。最後に、式（１）及び後続する式に従って決定される硫酸（Ｈ２ＳＯ４）を更に７．０ｇ（７１．４ｍｍｏｌ）（第２の量の無機酸）加え（Ｒ２＝０．５３ｍｍｏｌ／ｇ、Ｒ最小＝０．１６ｍｍｏｌ／ｇ）、合計ｍＴＯＴ＝１８１．９ｍｍｏｌを加えた。
【０１８２】
このようにして得られた第１の反応混合物を、４５分以内に１４０℃の温度に達するまで激しく攪拌し続け（６００ｒｐｍ）、リグニン及びセルロースを含む第１の固相と、ヘミセルロースに由来する糖を含む第１の水相とを含む第２の反応混合物を得た。
【０１８３】
オートクレーブを室温まで冷却させた後、上記相を濾過によって分離した。
【０１８４】
上記のように特定された開始バイオマスの組成は次のとおりであった：開始バイオマスの総重量に対して、セルロース４７．０重量％、ヘミセルロース２０．２重量％、リグニン２６．８重量％。残部は、有機酸、タンパク質及び非タンパク質窒素物質、脂質、並びに無機塩で構成されていた。
【０１８５】
上記のように第１の水相を分析したところ、次の結果が得られた（表６に示す）：
収率：７９．４％（開始バイオマス中に存在するヘミセルロースの総量に対して）、
Ｃ６分解：０．０％、
Ｃ５分解：１．５％、
Ｃ５含有量：７８．８％。
【０１８６】
【表１】
2021510532.tif 000002
【０１８７】
【表２】
2021510532.tif 000003
【０１８８】
【表３】
2021510532.tif 000004
【０１８９】
【表４】
2021510532.tif 000005
【０１９０】
【表５】
2021510532.tif 000006
【０１９１】
【表６】
2021510532.tif 000007
【０１９２】
表１（バガス（１））に示すデータは、以下を示している：
式（１）及び後続する式に従って決定される量ｍ２（ｍｍｏｌ）の有機酸又は無機酸を更に添加することなく、水の使用量（Ｇ１）に対して、量ｍ１（ｍｍｏｌ）のメタンスルホン酸（ＣＨ３−ＳＯ３Ｈ）を使用した実施例１（比較）は、糖の収率が低く（収率（％））（８０．３％）、さらに、Ｒ１＝０．１３ｍｍｏｌ／ｇ、Ｒ２＝０．００ｍｍｏｌ／ｇ、及びＲ最小＝０．８２ｍｍｏｌ／ｇのパラメーターの検討より、Ｒ２の値が本発明に従わないことは明らかである。
式（１）及び後続する式に従って決定される量ｍ２（ｍｍｏｌ）の有機酸又は無機酸を更に添加することなく、水の使用量（Ｇ１）に対して、量ｍ１（ｍｍｏｌ）の硫酸（Ｈ２ＳＯ４）を使用した実施例２（比較）は、糖の収率が低く（収率（％））（６９．１％）（実施例１（比較）よりも低い）、さらに、実施例１（比較）と比べて、フルフラール（Ｆ）への分解の著しい増加（３．２％に等しい分解率）を伴って、ヒドロキシメチルフルフラール（ＨＭＦ）はわずかとはいえない量（１．７％に等しい分解率）で形成されることが観察され、さらに、Ｒ１＝０．１２ｍｍｏｌ／ｇ、Ｒ２＝０．００ｍｍｏｌ／ｇ及びＲ最小＝０．００ｍｍｏｌ／ｇのパラメーターの検討より、Ｒ２及びＲ最小の値が本発明に従わないことは明らかである。
水の使用量（Ｇ１）に対して、量ｍ１（ｍｍｏｌ）のメタンスルホン酸（ＣＨ３−ＳＯ３Ｈ）を使用し、バイオマスの使用量（Ｇ２）に対して、式（１）及び後続する式に従って決定される量ｍ２（ｍｍｏｌ）のメタンスルホン酸（ＣＨ３−ＳＯ３Ｈ）を使用した実施例３（発明）は、糖の収率が高く（収率（％））（９５．０％）、また、ヒドロキシメチルフルフラール（ＨＭＦ）の形成は観察されず（分解率は０．０％に等しい）、さらに、Ｒ１＝０．１３ｍｍｏｌ／ｇ、Ｒ２＝０．５５ｍｍｏｌ／ｇ及びＲ最小＝１．３７ｍｍｏｌ／ｇのパラメーターの検討より、Ｒ１、Ｒ２及びＲ最小の値が本発明に従うことは明らかである。
水の使用量（Ｇ１）に対して、量ｍ１（ｍｍｏｌ）のメタンスルホン酸（ＣＨ３−ＳＯ３Ｈ）を使用し、バイオマスの使用量（Ｇ２）に対して、式（１）及び後続する式に従って決定される量ｍ２（ｍｍｏｌ）の硫酸（Ｈ２ＳＯ４）を使用した実施例７（発明）は、糖の収率が高く（収率（％））（９５．１％）（実施例３（発明）と同等）、最後に、実施例３（発明）で得られたものと同等のフルフラール（Ｆ）への分解（４．５％に等しい分解率）が観察され、したがって、硫酸（Ｈ２ＳＯ４）の使用が糖の収率にもフルフラールへの分解にも悪影響を及ぼさないことを確認し、さらに、Ｒ１＝０．１３ｍｍｏｌ／ｇ、Ｒ２＝０．５４ｍｍｏｌ／ｇ及びＲ最小＝０．８２ｍｍｏｌ／ｇのパラメーターの検討より、Ｒ１、Ｒ２及びＲ最小の値が本発明に従うことは明らかである。
【０１９３】
表２（バガス（２））に示すデータは、以下を示している：
式（１）及び後続する式に従って決定される量ｍ２（ｍｍｏｌ）の有機酸又は無機酸を更に添加することなく、水の使用量Ｇ１に対して、量ｍ１（ｍｍｏｌ）のメタンスルホン酸（ＣＨ３−ＳＯ３Ｈ）を使用した実施例４（比較）は、糖の収率が低く（収率（％））（７９．９％）、さらに、Ｒ１＝０．１３ｍｍｏｌ／ｇ、Ｒ２＝０．００ｍｍｏｌ／ｇ、及びＲ最小＝０．８２ｍｍｏｌ／ｇのパラメーターの検討より、Ｒ２の値が本発明に従わないことは明らかである。
式（１）及び後続する式に従って決定される量ｍ２（ｍｍｏｌ）の有機酸又は無機酸を更に添加することなく、水の使用量（Ｇ１）に対して、量ｍ１（ｍｍｏｌ）の硫酸（Ｈ２ＳＯ４）を使用した実施例５（比較）は、糖の収率が低く（収率（％））（６８．４％）（実施例５（比較）よりも低い）、さらに、実施例５（比較）と比べて、フルフラール（Ｆ）への分解の著しい増加（３．６％に等しい分解率）を伴って、ヒドロキシメチルフルフラール（ＨＭＦ）は無視することができない量（２．４％に等しい分解率）で形成されることが観察され、さらに、Ｒ１＝０．１２ｍｍｏｌ／ｇ、Ｒ２＝０．００ｍｍｏｌ／ｇ及びＲ最小＝０．００ｍｍｏｌ／ｇのパラメーターの検討より、Ｒ２及びＲ最小の値が本発明に従わないことは明らかである。
水の使用量（Ｇ１）に対して、量ｍ１（ｍｍｏｌ）のメタンスルホン酸（ＣＨ３−ＳＯ３Ｈ）を使用し、バイオマスの使用量（Ｇ２）に対して、式（１）及び後続する式に従って決定される量ｍ２（ｍｍｏｌ）のメタンスルホン酸（ＣＨ３−ＳＯ３Ｈ）を使用した実施例６（発明）は、糖の収率が高く（収率（％））（９５．２％）、さらに、ヒドロキシメチルフルフラール（ＨＭＦ）の形成は観察されず（分解率は０．０％に等しい）、さらに、Ｒ１＝０．１３ｍｍｏｌ／ｇ、Ｒ２＝０．５５ｍｍｏｌ／ｇ及びＲ最小＝１．３７ｍｍｏｌ／ｇのパラメーターの検討より、Ｒ１、Ｒ２及びＲ最小の値が本発明に従うことは明らかである。
水の使用量（Ｇ１）に対して、量ｍ１（ｍｍｏｌ）のメタンスルホン酸（ＣＨ３−ＳＯ３Ｈ）を使用し、バイオマスの使用量（Ｇ２）に対して、式（１）及び後続する式に従って決定される量ｍ２（ｍｍｏｌ）の硫酸（Ｈ２ＳＯ４）を使用した実施例８（発明）は、糖の収率が高く（収率（％））（９５．４％）（実施例６（発明）と同等）、最後に、実施例６（発明）と同等のフルフラール（Ｆ）への分解（４．５％に等しい分解率）が見られ、したがって、硫酸（Ｈ２ＳＯ４）の使用が糖の収率にもフルフラールへの分解にも悪影響を及ぼさないことを確認し、さらに、Ｒ１＝０．１３ｍｍｏｌ／ｇ、Ｒ２＝０．５４ｍｍｏｌ／ｇ及びＲ最小＝０．８２ｍｍｏｌ／ｇのパラメーターの検討より、Ｒ１、Ｒ２及びＲ最小の値が本発明に従うことは明らかである。
【０１９４】
表３（バガス（１））に示すデータは、以下を示している。
水の使用量Ｇ１に対して、量ｍ１（ｍｍｏｌ）のメタンスルホン酸（ＣＨ３−ＳＯ３Ｈ）を使用し、バイオマスの使用量（Ｇ２）に対して、式（１）及び後続する式に従って決定される量ｍ２（ｍｍｏｌ）の硫酸（Ｈ２ＳＯ４）を使用した実施例７（発明）は、糖の収率が高く（収率（％））（９５．１％）、さらに、ヒドロキシメチルフルフラール（ＨＭＦ）の形成は観察されず（分解率は０．０％に等しい）、さらに、Ｒ１＝０．１３ｍｍｏｌ／ｇ、Ｒ２＝０．５４ｍｍｏｌ／ｇ及びＲ最小＝０．８２ｍｍｏｌ／ｇのパラメーターの検討より、Ｒ１、Ｒ２及びＲ最小の値が本発明に従うことは明らかである。
水の使用量（Ｇ１）に対して、量ｍ１（ｍｍｏｌ）のメタンスルホン酸（ＣＨ３−ＳＯ３Ｈ）を使用し、バイオマスの使用量（Ｇ２）に対して、式（１）及び後続する式に従って決定されるよりも少ない量ｍ２（ｍｍｏｌ）の硫酸（Ｈ２ＳＯ４）を使用した実施例９（比較）は、実施例７（発明）のものよりも糖の収率が低く（収率（％））（８７．８％）、さらに、Ｒ１＝０．１３ｍｍｏｌ／ｇ、Ｒ２＝０．２３ｍｍｏｌ／ｇ、及びＲ最小＝０．８２ｍｍｏｌ／ｇのパラメーターの検討より、Ｒ２の値が本発明に従わないことは明らかである。
水の使用量（Ｇ１）に対して、量ｍ１（ｍｍｏｌ）のメタンスルホン酸（ＣＨ３−ＳＯ３Ｈ）を使用し、バイオマスの使用量（Ｇ２）に対して、式（１）及び後続する式に従って決定されるよりも多い量ｍ２（ｍｍｏｌ）の硫酸（Ｈ２ＳＯ４）を使用した実施例１０（比較）は、実施例７（発明）のものよりも糖の収率が低く（収率（％））（８６．１％）、また、フルフラール（Ｆ）への分解に著しい増加が見られ（分解率は７．２％に等しい）、さらに、Ｒ１＝０．１３ｍｍｏｌ／ｇ、Ｒ２＝０．８２ｍｍｏｌ／ｇ及びＲ最小＝０．８２ｍｍｏｌ／ｇのパラメーターの検討より、Ｒ２の値が本発明に従わないことは明らかである。
【０１９５】
表４（バガス（２））に示すデータは、以下を示している。
水の使用量（Ｇ１）に対して、量ｍ１（ｍｍｏｌ）のメタンスルホン酸（ＣＨ３−ＳＯ３Ｈ）を使用し、バイオマスの使用量（Ｇ２）に対して、式（１）及び後続する式に従って決定される量ｍ２（ｍｍｏｌ）の硫酸（Ｈ２ＳＯ４）を使用した実施例８（発明）は、糖の収率が高く（収率（％））（９５．４％）、さらに、ヒドロキシメチルフルフラール（ＨＭＦ）の形成は観察されず（分解率は０．０％に等しい）、さらに、Ｒ１＝０．１３ｍｍｏｌ／ｇ、Ｒ２＝０．５４ｍｍｏｌ／ｇ及びＲ最小＝０．８２ｍｍｏｌ／ｇのパラメーターの検討より、Ｒ１、Ｒ２及びＲ最小の値が本発明に従うことが示される。
水の使用量（Ｇ１）に対して、量ｍ１（ｍｍｏｌ）のメタンスルホン酸（ＣＨ３−ＳＯ３Ｈ）を使用し、バイオマスの使用量（Ｇ２）に対して、式（１）及び後続する式に従って決定されるよりも少ない量ｍ２（ｍｍｏｌ）の硫酸（Ｈ２ＳＯ４）を使用した実施例１１（比較）は、実施例８（発明）のものよりも糖の収率が低く（収率（％））（８４．７％）、さらに、Ｒ１＝０．１３ｍｍｏｌ／ｇ、Ｒ２＝０．２３ｍｍｏｌ／ｇ、及びＲ最小＝０．８２ｍｍｏｌ／ｇのパラメーターの検討より、Ｒ２の値が本発明に従わないことが示される。
水の使用量（Ｇ１）に対して、量ｍ１（ｍｍｏｌ）のメタンスルホン酸（ＣＨ３−ＳＯ３Ｈ）を使用し、バイオマスの使用量Ｇ２に対して、式（１）及び後続する式に従って決定されるよりも多い量ｍ２（ｍｍｏｌ）の硫酸（Ｈ２ＳＯ４）を使用した実施例１２（比較）は、実施例８（発明）のものよりも糖の収率が低く（収率（％）８６．３％）、また、フルフラール（Ｆ）への分解に著しい増加が見られ（分解率は７．４％に等しい）、さらに、Ｒ１＝０．１３ｍｍｏｌ／ｇ、Ｒ２＝０．８２ｍｍｏｌ／ｇ及びＲ最小＝０．８２ｍｍｏｌ／ｇのパラメーターの検討より、Ｒ２の値が本発明に従わないことが示される。
【０１９６】
表５（バガス（１））に示すデータは、以下を示している。
メタンスルホン酸（ＣＨ３−ＳＯ３Ｈ）及び硫酸（Ｈ２ＳＯ４）を使用した実施例１３（発明）は、実施例３、実施例６、実施例７及び実施例８（発明）で得られたものと同等の高い糖の収率（収率（％））（９５．１％）及びフルフラール（Ｆ）への分解（４．６％に等しい分解率）を有し、したがって、硫酸（Ｈ２ＳＯ４）の使用が糖の収率にもフルフラールへの分解にも悪影響を及ぼさないことを確認し、特に、Ｒ１＝０．１３ｍｍｏｌ／ｇ、Ｒ２＝０．５３ｍｍｏｌ／ｇ及びＲ最小＝０．４１ｍｍｏｌ／ｇのパラメーターの検討より、Ｒ１、Ｒ２及びＲ最小の値が本発明に従うことを示している。
メタンスルホン酸（ＣＨ３−ＳＯ３Ｈ）及び硫酸（Ｈ２ＳＯ４）を使用した実施例１４（発明）は、実施例３、実施例６、実施例７及び実施例８（発明）で得られたものと同等の高い糖の収率（収率（％））（９５．４％）及びフルフラール（Ｆ）への分解（４．２％に等しい分解率）を有し、したがって、硫酸（Ｈ２ＳＯ４）の使用が糖の収率にもフルフラールへの分解にも悪影響を及ぼさないことを確認し、特に、Ｒ１＝０．１３ｍｍｏｌ／ｇ、Ｒ２＝０．５３ｍｍｏｌ／ｇ及びＲ最小＝０．２５ｍｍｏｌ／ｇのパラメーターの検討より、Ｒ１、Ｒ２及びＲ最小の値が本発明に従うことを示している。
メタンスルホン酸（ＣＨ３−ＳＯ３Ｈ）及び硫酸（Ｈ２ＳＯ４）を使用した実施例１５（比較）は、糖の収率が低く（収率（％））（８１．４％）、特に、Ｒ１＝０．１３ｍｍｏｌ／ｇ、Ｒ２＝０．５３ｍｍｏｌ／ｇ及びＲ最小＝０．１６ｍｍｏｌ／ｇのパラメーターの検討より、Ｒ最小の値が本発明に従わないことを示している（すなわち、有機酸が十分な量存在していない）。
【０１９７】
表６（バガス（２））に示すデータは、以下を示している。
メタンスルホン酸（ＣＨ３−ＳＯ３Ｈ）及び硫酸（Ｈ２ＳＯ４）を使用した実施例１６（発明）は、実施例３、実施例６、実施例７及び実施例８（発明）で得られたものと同等の高い糖の収率（収率（％））（９５．２％）及びフルフラール（Ｆ）への分解（４．３％に等しい分解率）を有し、したがって、硫酸（Ｈ２ＳＯ４）の使用が糖の収率にもフルフラールへの分解にも悪影響を及ぼさないことを確認し、特に、Ｒ１＝０．１３ｍｍｏｌ／ｇ、Ｒ２＝０．５３ｍｍｏｌ／ｇ及びＲ最小＝０．４１ｍｍｏｌ／ｇのパラメーターの検討より、Ｒ１、Ｒ２及びＲ最小の値が本発明に従うことを示している。
メタンスルホン酸（ＣＨ３−ＳＯ３Ｈ）及び硫酸（Ｈ２ＳＯ４）を使用した実施例１７（発明）は、実施例３、実施例６、実施例７及び実施例８（発明）で得られたものと同等の高い糖の収率（収率（％）９５．０％）及びフルフラール（Ｆ）への分解（４．６％に等しい分解率）を有し、したがって、硫酸（Ｈ２ＳＯ４）の使用が糖の収率にもフルフラールへの分解にも悪影響を及ぼさないことを確認し、特に、Ｒ１＝０．１３ｍｍｏｌ／ｇ、Ｒ２＝０．５３ｍｍｏｌ／ｇ及びＲ最小＝０．２５ｍｍｏｌ／ｇのパラメーターの検討より、Ｒ１、Ｒ２及びＲ最小の値が本発明に従うことを示している。
メタンスルホン酸（ＣＨ３−ＳＯ３Ｈ）及び硫酸（Ｈ２ＳＯ４）を使用した実施例１８（比較）は、糖の収率が低く（収率（％））（７９．４％）、特に、Ｒ１＝０．１３ｍｍｏｌ／ｇ、Ｒ２＝０．５３ｍｍｏｌ／ｇ及びＲ最小＝０．１６ｍｍｏｌ／ｇのパラメーターの検討より、Ｒ最小の値が本発明に従わないことを示している（すなわち、有機酸が十分な量存在していない）。
【０１９８】
また、バガス（１）又はバガス（２）を使用することは、同等の結果をもたらし、バガスを得るプロセスが本発明の目的とは無関係であるという事実を支持していることにも留意すべきである。
【国際調査報告】
2021510532.tif 000008
2021510532.tif 000009